(57)【要約】【課題】  混練に容器も計量も不要であり、袋を揉むだけで手軽に混練でき、歯科用粉末が飛散せず人体への悪影響がなく、混練時に気泡が混入しにくく、混練材の無駄が少なく、余剰混練材の廃棄を容易にする。【解決手段】  袋が外層と内層を備えた二層以上であり且つ内層が外層よりも低温で融着可能な樹脂フィルム製であり、前記内層同士が熱溶着された区画部で仕切られた粉末収容部と液体収容部を備え、一回の使用量の歯科用粉末が前記粉末収容部に、その歯科用粉末の混練に必要な混水比の液体が液体収容部に収容密封され、前記区画部は外部から加圧することにより破損して前記歯科用粉末と液体が流入するように連通し、樹脂製袋をその外から手で揉むと前記連通により合流した歯科用粉末と液体が当該樹脂製袋内で混練されるようにした。【選択図】図１
2015107239.tif 000002
【特許請求の範囲】
【請求項１】
混練する歯科用粉末と液体が袋内に収容された袋入り歯科用材料において、
袋は外層と内層を備えた二層以上であり且つ内層が外層よりも低温で熱溶着可能な樹脂フィルム製であり、粉末収容部と液体収容部を備え、
粉末収容部と液体収容部は前記内層同士が熱融着された区画部で仕切られ、区画部は袋の周縁部のシール強度よりも弱いシール強度で熱融着されており、
一回の使用量の歯科用粉末が前記粉末収容部内に収容密封され、当該歯科用粉末の混練に必要な量（混水比）の液体が前記液体収容部内に収容密封され、
前記区画部は外力を加えることにより前記区画部が破損して前記歯科用粉末と液体が合流するように連通し、
樹脂製袋をその外から手で揉むと前記連通により合流した歯科用粉末と液体が当該樹脂製袋内で混練されるようにした、
ことを特徴とする袋入り歯科用材料。
【請求項２】
請求項１記載の袋入り歯科用材料において、
樹脂製袋が、内層の区画部が外力で容易に開口（破損を含む）するイージーピールフィルムであり、
区画部が前記内層を熱溶着することにより形成された、
ことを特徴とする袋入り歯科用材料。
【請求項３】
請求項１又は請求項２記載の袋入り歯科用材料において、
一回の使用量は、歯科用粉末が石膏粉末の場合は一回の流し込みに必要な量、歯科用粉末がアルジネート粉末の場合は一回の型取りに必要な量である、
ことを特徴とする袋入り歯科用材料。
【請求項４】
請求項１から請求項３のいずれか１項に記載の袋入り歯科用材料において、
粉末収容部内に収容密封される歯科用材料の収容量と液体収容部内に収容密封される液体の収容量が、歯科用材料の種類によって、混水比19〜55％の範囲で選択される量である、
ことを特徴とする袋入り歯科用材料。
【請求項５】
請求項１から請求項４のいずれか１項に記載の袋入り歯科用材料において、
樹脂製袋は片手で握って揉んで歯科用粉末と液体を混練できるサイズである、
ことを特徴とする袋入り歯科用材料。
【請求項６】
請求項１から請求項５のいずれか１項に記載の袋入り歯科用材料において、
粉末収容部と液体収容部の双方又はいずれか一方の収容部内に、歯科用粉末又は液体と共に球体が収容され、その球体は樹脂製袋を手で揉んで歯科用粉末と液体を混練するとそれら歯科用粉末と液体内を移動して混練し易くするものである、
ことを特徴とする袋入り歯科用材料。
【請求項７】
請求項１から請求項６のいずれか１項に記載の袋入り歯科用材料において、
粉末収容部に石膏粉末又はアルジネート粉末が収容され、液体収容部に水が収容された、
ことを特徴とする袋入り歯科用材料。
【請求項８】
請求項７記載の袋入り歯科用材料において、
水が硬化促進剤又は硬化遅延剤を含むものである、
ことを特徴とする袋入り歯科用材料。
【請求項９】
歯科用粉末と液体をペースト状に混練する方法において、
請求項１から請求項８のいずれか１項に記載の袋入り歯科用材料を使用し、その袋入り歯科用材料の樹脂製袋に外力を加えて区画部の全部又は一部を開口破損させて、粉末収容部内の歯科用粉末と液体収容部内の液体を合流させ、
前記樹脂製袋を手で揉んで当該樹脂製袋内で前記合流した歯科用粉末と液体を混練してペースト状にし、
前記樹脂製袋の一部を開口して、当該樹脂製袋を手で押して混練済み歯科用材料を開口部から押し出し可能とする、
ことを特徴とする歯科用粉末混練方法。
【請求項１０】
歯科用粉末であるアルジネート粉末と液体をペースト状に混練した混練済みアルジネートを歯科用トレー内に盛り付けて印象を採得する方法において、
請求項９記載の歯科用粉末混練方法で得られたペースト状の混練済みアルジネートを、当該混練済みアルジネートを混練した樹脂製袋を手で押して樹脂製袋の開口部から押し出して、歯科用トレー内に盛り付けて印象材を採得する、
ことを特徴とする歯科用印象採得方法。
【請求項１１】
歯科用粉末である石膏粉末と液体をペースト状に混練した混練済み石膏を歯科用型内に充填して歯科用模型を製作する方法において、
請求項９記載の歯科用粉末混練方法で得られたペースト状の混練済み石膏を、当該混練済み石膏の混練に使用した樹脂製袋を手で押して、当該樹脂製袋の開口部から押し出して、歯科用片内に充填して歯科用模型を製作する、
ことを特徴とする歯科用模型製作方法。
【発明の詳細な説明】
【技術分野】
【０００１】
本発明は、歯科医療において模型材料として使用される石膏粉末と液体（通常、水）との攪拌・混合（通常「混和」という。）や、印象採得用の印象材として使用されるアルジネート粉末と液体（通常、水）との攪拌・混合（通常「練和」という。）を手軽に行うことのできる袋入り歯科用材料と、その袋入り歯科用材料を使用した歯科用粉末混練方法と、その歯科用粉末混練方法を使用した歯科用印象採得方法及び歯科用模型製作方法に関する。以下では、前記「混和」と「練和」をまとめて「混練」という。
【背景技術】
【０００２】
歯科医療においては、模型材料として石膏が、印象採得用の印象材としてアルジネートが使用されている。石膏やアルジネートは、粉末状態（石膏粉末、アルジネート粉末）で水と混練し、ペースト状（硬さは種々ある）にして使用される。
【０００３】
石膏粉末やアルジネート粉末等の歯科用粉末と水とを混練するには、歯科用粉末と水とを所定の混水比（通常、１回の使用量の歯科用粉末に対して、その歯科用粉末ごとに定められている規定の水量）で容器（通常、ラバーボール）に入れ、撹拌棒等を用いてラバーボール内で数分（通常、１〜２分程度）混練している。この混練は大気中で行うため混練時に混練材中に空気（気泡）が混入することがある。空気は歯科用模型の亀裂、欠損等の一因となるため、ラバーボールをバイブレーターで振動させたり、消泡剤を用いたりして脱泡作業を行ってから、ペースト状の混練材を模型材料或いは印象材として使用する。使用後に残った（余った）余剰混練材はシンクに流して石膏トラップで捕集したり、硬化後に容器から取り出して廃棄処分したりする。
【０００４】
前記混煉方法の他、シリコーンオイルをノニオン系界面活性剤で乳化した水性エマルジョンを添加して混練する方法（特許文献１）や、真空攪拌機（非特許文献１）などを用いて混練する方法も知られている。また、歯科用以外の分野では、前記計量や混合を容易にするため、一つの袋内を区画して美顔液と脱脂綿を別々に収容したもの（特許文献２）、一つの袋内を区画して漂白剤の粉末と水性液を別々に収容したもの（特許文献３）がある。
【先行技術文献】
【特許文献】
【０００５】
【特許文献１】特開平５−１５５７３１号公報
【特許文献２】特開２００４−４２９５１号公報
【特許文献３】特開２００５−１４５５４３号公報
【非特許文献１】株式会社日本歯科商社のホームページ上の製品紹介ページ（URL: http://www.dentalsupply.co.jp/seihin/ren/001.html）
【発明の概要】
【発明が解決しようとする課題】
【０００６】
従来の歯科用粉末と水の混練方法には次のような課題があった。
（１）歯科用粉末と水を大気中（室内のボール内）で混練するため、歯科用粉末が混練時に空気中に飛散し易く、作業者がその飛散粉末を吸い込むことがある。石膏は硫酸カルシウム（ＣａＳＯ4）を主成分とする鉱物であり人体に悪影響があるため、飛散粉末を吸い込むことは好ましくない。
（２）歯科用粉末と水の混水比が不正確だと、混練材の膨張や収縮を招くことがある。しかし、混水比の正確度（精度）は作業者の熟練度によって差があるため、得られる混練材の品質が混練する作業者によってバラツクという難点がある。
（３）混練時に気泡の混入を防ぐことが難しいため、混練後にバイブレーターや消泡剤等を使用しての脱泡作業は不可欠であり、手間がかかり面倒である。
（４）余剰混練材はそのまま流すと水道の配管が詰まってしまうため、石膏トラップを用いて処理しているが、石膏トラップの導入や石膏トラップのメンテナンスに手間がかかりコスト高になるという難点がある。
（５）ラバーボールは使用後にその都度洗わなければならず面倒である。
（６）前記非特許文献１記載の真空攪拌機等の装置は、その導入やメンテナンス等に多くのコストがかかる。
【０００７】
本発明の目的は、前記課題を解決できる袋入り歯科用材料と、歯科用粉末混練方法と、歯科用印象採用得方法と、歯科用模型製作方法を提供することにある。
【課題を解決するための手段】
【０００８】
［袋入り歯科用材料］
本発明の袋入り歯科用材料は、混練する歯科用粉末と液体が袋内に収容された袋入り歯科用材料であり、袋は少なくとも外層と内層を備え且つ内層が外層よりも低温で熱溶着可能な樹脂フィルム製であり、粉末収容部と液体収容部を備え、粉末収容部と液体収容部は前記内層同士が熱溶着された区画部で仕切られ、一回の使用量の歯科用粉末が前記粉末収容部内に収容密封され、当該歯科用粉末の混練に必要な量の液体が前記液体収容部内に収容密封され、前記区画部は外部から加圧することにより開口（破損を含む）して前記歯科用粉末と液体が合流するように連通し、樹脂製の袋（以下、「樹脂製袋」という）をその外から手で揉むと、前記区画部の連通により合流した歯科用粉末と液体が当該樹脂製袋内で混練されるようにしたものである。ここで一回の使用量とは、歯科用粉末が石膏粉末の場合は一回の流し込みに必要な量（多少の余剰量を含む：発明の詳細な説明、特許請求の範囲において同じ）、歯科用粉末がアルジネート粉末の場合は一回の型取りに必要な量（多少の余剰量を含む：発明の詳細な説明、特許請求の範囲において同じ）であり、その量は患者によっても、患者の使用部位によっても異なる。
【０００９】
前記袋入り歯科用材料は、内層が外層よりも低温で熱溶着可能な材料であり、熱溶着された区画部が樹脂製袋の外から加えられる外力で開口（破損）するイージーピールフィルムとすることができる。
【００１０】
前記粉末収容部内に収容密封される歯科用粉末の収容量と前記液体収容部内に収容密封される液体の収容量が、歯科用粉末の種類によって、混水比19〜55％の範囲で選択される量とすることができる。
【００１１】
前記樹脂製袋は片手で握って揉んで歯科用粉末と液体を混練できるサイズであることが望ましい。
【００１２】
前記袋入り歯科用材料は、粉末収容部と液体収容部の双方又はいずれか一方の収容部内に歯科用粉末と共に又は液体と共に球体が収容され、その球体は樹脂製袋を手で揉んで歯科用粉末と液体を混練するとそれら歯科用粉末と液体内を移動して両者を混練し易くすることもできる。
【００１３】
前記袋入り歯科用材料は、粉末収容部に歯科用粉末として石膏粉末又はアルジネート粉末が収容され、液体収容部に液体として水が収容されたものとすることができる。この場合、水は歯科用粉末の硬化促進剤又は硬化遅延剤を含むものであってもよい。硬化促進剤は糖分、硬化遅延剤は塩分であってもよい。
【００１４】
［歯科用粉末混練方法］
本発明の歯科用粉末混練方法は、歯科用粉末と液体をペースト状に混練する方法において、前記袋入り歯科用材料を使用し、その袋入り歯科用材料の樹脂製袋に外力を加えて区画部の全部又は一部を開口（破損）させて、粉末収容部内の歯科用粉末と液体収容部内の液体を合流させ、前記樹脂製袋を手で揉んで当該樹脂製袋内で前記合流した歯科用粉末と液体を混練してペースト状にし、前記樹脂製袋の一部を開口して、当該樹脂製袋を手で押して混練済み歯科用材料を当該開口部から押し出し可能とする方法である。
【００１５】
［歯科用印象採得方法］
本発明の歯科用印象採得方法は、歯科用粉末であるアルジネート粉末と液体をペースト状に混練した混練済みアルジネートを歯科用トレー内に盛り付けて印象を採得する方法において、前記歯科用粉末混練方法で得られたペースト状の混練済みアルジネートを、当該混練済みアルジネートを混練した樹脂製袋を手で押して樹脂製袋の開口部から押し出して、歯科用トレー内に盛り付けて印象を採得する方法である。
【００１６】
［歯科用模型製作方法］
本発明の歯科用模型製作方法は、歯科用粉末である石膏粉末と液体をペースト状に混練した混練済み石膏を歯科用型内に充填して歯科用模型を製作する方法において、前記歯科用粉末混練方法で得られたペースト状の混練済み石膏を、当該混練済み石膏の混練に使用した樹脂製袋を手で押して当該樹脂製袋の開口部から押し出して、歯科用型内に充填して歯科用模型を製作する方法である。
【発明の効果】
【００１７】
本発明の袋入り歯科用材料は次のような効果がある。
（１）一つの樹脂製袋内に、歯科用粉末と液体が所定の混水比で区画されて収容されているので、両者を計量する必要がなく、作業者の熟練度に関係なく混水比が正確な模型や印象を作ることができる。
（２）樹脂製袋に外力を加えて区画部を開口し、当該樹脂製袋をその外部から揉むことにより、当該樹脂製袋内の歯科用粉末と液体とを樹脂製袋内で混練してペースト状の混練材にすることができるので、歯科用粉末が空中に飛散することがなく、作業者が歯科用粉末を吸い込むことによる人体への悪影響もない。
（３）樹脂製袋を開口することなく混練できるので、混練中に樹脂製袋内に空気が入り込むことがなく、脱泡作業をする必要もない。混練材で成型した歯科用模型が空気の混入による品質劣化（模型の亀裂、欠け等）がほとんどないものになる。
（４）歯科用粉末と液体の混練にラバーボールを使用する必要がないため、ラバーボールを洗う面倒もない。
（５）樹脂製袋内に、一回で使い切れる分量の歯科用粉末と液体が収容されているので、材料の無駄が少ない。
（６）ペースト状の混練材が余った場合は、その余剰混練材を樹脂製袋ごと廃棄処分することができるので、使用後の処分が容易である。
（７）粉末収容部と液体収容部の双方又はいずれか一方に、歯科用粉末或いは液体と共に球体を収容した場合、混練時にダマが生じにくい。
（８）液体に硬化促進剤或いは硬化遅延剤を入れた場合は、歯科用粉末の硬化速度を用途に合わせて調整できるため、型取り作業や歯科用模型の製作作業等がし易くなる。ちなみに糖分入りの場合は硬化遅延になり、塩分入りの場合は硬化促進になる。
【００１８】
本発明の歯科用粉末混練方法は、前記袋入り歯科用材料を使用するため、混練に容器も計量も不要であり、樹脂製袋を揉むだけで手軽に混練でき、歯科用粉末が飛散せず人体への悪影響がなく、混練時に気泡が混入しにくく、混練材の無駄が少なく、余剰混練材の廃棄が容易になる。
【００１９】
本発明の歯科用印象採得方法は、前記歯科用粉末混練方法でペースト状に混練された混練済みアルジネートを使用するため、手軽に歯科用印象採得することができる。
【００２０】
本発明の歯科用模型製作方法は、前記歯科用粉末混練方法でペースト状に混練された混練済み石膏を使用するため、手軽に歯科用模型を製作することができる。
【図面の簡単な説明】
【００２１】
【図１】本発明の袋入り歯科用材料の一例を示すものであって、（ａ）はその正面図、（ｂ）は（ａ）のＸ−Ｘ矢視図、（ｃ）は（ｂ）のＡ部詳細図。
【図２】本発明の袋入り歯科用材料の他例を示すものであって、粉末収容部に粉末とともに球体を収容した場合の一例を示す正面図。
【図３】本発明の歯科用材料混練方法（袋入り歯科用材料の使用方法）の一例を示す説明図であって、（ａ）は歯科用粉末と液体とが区画部で隔離された状態を示す説明図、（ｂ）は樹脂製袋をその外から手で押して歯科用粉末と液体を合流させる説明図、（ｃ）は樹脂製袋をその外から手で揉んで歯科用粉末と液体とを混練する状態を示す説明図。
【発明を実施するための形態】
【００２２】
（袋入り歯科用材の実施形態１）
本発明の袋入り歯科用材料１０の実施形態の一例を、図１（ａ）〜（ｃ）を参照して説明する。図１（ａ）〜（ｃ）の袋入り歯科用材料１０は樹脂製袋１内が区画部（熱溶着部）２で仕切られて粉末収容部３と液体収容部４に区画され、粉末収容部３内に歯科用粉末として石膏粉末Ｐが、液体収容部４内に液体として水（精製水）Ｗが収容されたものである。本発明で用いる石膏には普通石膏、硬石膏、超硬石膏などがある。
【００２３】
［樹脂製袋］
前記樹脂製袋１は少なくとも外層（基材）１ａと内層１ｂを備えた二層以上の積層フィルムの周縁部が密封されており、周縁部の内側空間内が対向する内層１ｂ同士を熱溶着した区画部２で仕切られて粉末収容部３と液体収容部４が形成されている。積層フィルムには各種樹脂製のものを使用することができるが、一例としては、外層１ａはナイロン、内装１ｂはポリエチレン（ＰＥ）のイージーピールフィルムが適する。ナイロンは熱溶着温度がポリエチレンよりも高く、強度にも優れている。ポリエチレンは熱溶着温度がナイロンよりも低く、熱溶着後に樹脂製袋１に外力を加えると容易に剥離し易い（易剥離性である）。積層フィルムの材質は前記以外であってもよく、外層１ａにポリプロピレン（ＰＰ）、ポリエチレン、塩化ビニール樹脂等を、内層１ｂにそれらよりも熱溶着温度の低い樹脂を用いることもできる。
【００２４】
樹脂製袋１は細長であり、その長手方向１／３程度の箇所に区画部２を設けて粉末収容部３と液体収容部４を仕切ってある。区画部２は樹脂製袋１の内層１ｂを熱溶着することにより形成してある。区画部２は多少の外力が加わっても破れない（裂け目５が生じない）が、所定以上の強力な外力が加わったときのみ破れる熱溶着力のイージーピール部である。
【００２５】
図１（ａ）に示す例では、区画部２を斜めの帯状に熱溶着してあるが、平行な帯状に熱溶着することも、Ｖ字状、波形、それら以外の形状に熱溶着することもできる。例えば区画部２をＶ字状にして一部を先細りにすることにより、樹脂製袋１にその外部から圧力（外力）を加えたときに外力が先細り部分に集中して区画部２が開口（破損）し易くなる。区画部２の幅が狭いと不用意に加わる外力によって部分的に破損或いは剥離して、液体収容部４内の水Ｗが、石膏粉末Ｐが収容された粉末収容部３内に流れ込むことがある。これを防止するため、区画部２はそのような破損或いは剥離が生じない程度の融着強度と幅広にしておくことが望ましい。場合によっては、区画部２を樹脂製袋１の長手方向の少し離れた二カ所に設けて（二重に設けて）破損し難くしておくこともできる。区画部２の溶着強度は周縁部のシール強度（溶着強度）よりも弱くして、力により区画部２の溶着が破損しても、周縁部のシール（溶着）は破損しないようにしてある。
【００２６】
樹脂製袋１は揉み易い可撓性と厚さのものが好ましい。一例として図１（ａ）〜（ｃ）に示す樹脂製袋１は、外層１ａに厚さ15μｍのナイロンフィルムを、内層１ｂに厚さ30μｍのポリエチレンフィルムを用いた場合の例であるが、厚さはこれら以外であってもよく、例えば、外層１ａが厚さ15μｍのナイロンフィルム、内層１ｂが厚さ50μｍのポリエチレンフィルムであってもよい。
【００２７】
樹脂製袋１の大きさは収容する石膏粉末Ｐ、水Ｗの分量によって適宜設計することができ、例えば、50ｇの石膏粉末Ｐを収容する50ｇ用の場合には縦180ｍｍ〜250ｍｍ×横55ｍｍ〜75ｍｍ程度（より好ましくは縦200ｍｍ×横70ｍｍ程度）のものが、100ｇの石膏粉末Ｐを収容する100ｇ用の場合には縦230〜300ｍｍ×横65〜90ｍｍ程度のものが適する。いずれの場合も、粉末収容部３に前記量の歯科用粉末が収容され、液体収容部４にそれに必要な混水比の液体が収容されたときに、成人女性が片手で持って揉むことのできるサイズ（横幅と厚さになる）とするのが好ましい。
【００２８】
樹脂製袋１の内層１ｂは隅を図２のように円弧状にしておく（Ｒを付けておく）のが好ましい。隅を円弧状にすることによって、内層１ｂの四隅に石膏粉末Ｐが溜まり難くなり、混練されない粉末を残りにくくすることができる。樹脂製袋１の一部（例えば、コーナー部分）には切取部６を形成しておき、その切取部６を切り取ると樹脂製袋１に出口（図示しない）が開口される（形成される）ようにしておくのが好ましい。石膏粉末Ｐと水Ｗとをペースト状に混練した後、当該切取部６を切り取って出口を形成し、当該出口からペースト状の混練済み石膏（混練材）を絞り出す（押し出す）ことができる。
【００２９】
［歯科用粉末・液体］
この実施形態では、粉末収容部３に石膏粉末Ｐを収容する場合を一例にして説明しているが、粉末収容部３には、印象採得用のアルジネート粉末や歯科用の他の粉末を収容することもできる。また、液体収容部４には精製水を収容した場合を一例としてあるが、純水や水道水を収容することもできる。場合によっては、水に微量の硬化促進剤、硬化遅延剤を溶解することができる。石膏の硬化促進剤には硫酸ナトリウム、硫酸カリウムなどのアルカリ金属の硫酸塩、塩化カルシウム、塩化ナトリウム（塩分）等がある。石膏の硬化遅延剤には澱粉、にかわなどの拡散速度を遅くするコロイド性物質、酢酸などの有機酸およびその塩類、ホウ酸などがある。ホウ酸は硬化遅延剤として効果が大きく、２％以下で濃度を変えれば、所望時間だけ硬化を遅延させることが可能である。
【００３０】
水Ｗは基本的には常温でよいが、常温よりも温かい水（お湯）や冷たい水（冷水）を収容しておくこともできる。水の温度が高い場合は温度が低い場合よりも石膏粉末Ｐの硬化時間の促進を図れ、硬化時間の短縮を図ることができる。このため可能であれば、樹脂製袋１には加熱可能な耐熱性のある樹脂フィルムを使用して、加熱できるようにすることもできる。水の温度が低い場合は温度が高い場合よりも石膏粉末Ｐの硬化時間を遅延させることができる。
【００３１】
［混水比］
前記収容部３、４に収容される石膏粉末Ｐと水Ｗの混水比（Ｗ/Ｐ；重量比）は、石膏粉末Ｐの種類に応じて、0.19〜0.55（19〜55％）の範囲で選択することができる。例えば、粉末収容部３に普通石膏（粉末）を収容する場合は、混水比を45％程度とすると混練しやすく、粉末収容部３に硬石膏（粉末）を収容する場合は、混水比を23％程度とすると混練しやすい。混水比は使用する歯科用粉末によって異なるため、使用する歯科用粉末に応じて適宜変更することができるが、混練済み石膏は、混水比0.19よりも低くなると粉っぽく割れ易くなり、0.55よりも高くなると水っぽく固まりにくくなる。このため、いずれの場合も、混水比は0.19〜0.55（19〜55％）の範囲で選択するのが好ましい。
【００３２】
粉末収容部３に収容する石膏粉末Ｐの分量は、一回で使い切れる分量か一回の使用に不足せず余り過ぎもしない（過不足のない）分量（一回の使用量）とするのが好ましい。一回の使用分量を入れておくことによって、石膏粉末Ｐを計量する手間を省くことができるうえ、混練済み石膏粉末Ｐの余剰量が少なくなって石膏粉末Ｐの無駄を防止することができる。ただし、一回の使用分量は治療部位の広さ、深さ等によって異なり、一回で二以上の型取りをしたり、二以上の型に充填したりすることもあるため、一回の使用分量は一つの型取りに必要な量とか、一つの型に充填する量に限ることなく、例えば、一回の使用分量を50ｇとか60ｇといったように定めて基準量とし、その他に基準量よりも多い75ｇ入り、100ｇ入りといったように予め計測して充填しておき、分量の異なる袋入り歯科用材１０を数種類用意しておくことができる。
【００３３】
（袋入り歯科用材料の実施形態２）
本発明の袋入り歯科用材料１０の実施形態の他例について、図２を参照して説明する。この実施形態の袋入り歯科用材料１０の基本構造は、実施形態１の袋入り歯科用材料１０と同じである。異なるのは、粉末収容部３内と液体収容部４内の双方又はいずれか一方に石膏粉末Ｐ又は水Ｗと共に球体７が収容されていることである。球体７は金属製、樹脂製の球が適し、その直径は数ｍｍ程度の大きさが適する。球体７を入れることによって石膏粉末Ｐと水Ｗが混練されやすくなる。球体７は二以上収容することもできる。二以上の球体７は同じ形状であっても異なる形状であっても良く、同じ形状であっても大きさの異なるものであってもよい。
【００３４】
（袋入り歯科用材料の他の実施形態）
前記袋入り歯科用材料１０の粉末収容部３や液体収容部４内は、可能であれば真空状態（略真空状態を含む）にしておくのが望ましい。真空状態（空気が混入していない状態）とすることによって、混練中のペースト状の材料に気泡が発生せず、混練材の品質向上が期待できる。また、これまで必要であった脱泡作業が不要となり、作業性の向上も期待できる。
【００３５】
前記実施形態では、樹脂製袋１、収容部３、４が細長の場合を一例として説明してあるが、それらは他の形状であってもよい。また、患者によって、必要な材料の量が異なるため、予め分量の異なる袋入り歯科用材料１０を数種類用意しておき、状況に応じて選択的に使用できるようにしておくこともできる。
【００３６】
（袋入り歯科用材料の製造方法）
図１（ａ）〜（ｃ）及び図２に示す袋入り歯科用材料１０は、粉末収容部３への歯科用粉末の収容と、液体収容部４への液体の収容は、いずれを先に行ってもよく、可能であれば同時に行ってもよい。いずれの場合も、収容後は粉末収容部３、液体収容部４の夫々の開口部を熱融着して密封する。この熱溶着と樹脂製袋１の周囲の熱溶着は、区画部２の熱溶着よりも強固にして、外力で区画部２が破損しても、周囲及び開口部の熱溶着は破損しないようにする。
【００３７】
（袋入り歯科用材料の使用例）
本発明の袋入り歯科用材料１０の使用例について説明する。この使用例は樹脂製袋１内で石膏粉末Ｐと水Ｗとを混練する場合の例である。
（１）用意した袋入り歯科用材料１０の樹脂製袋１（図３（ａ））を外側から押して樹脂製袋１に外力を加えて、粉末収容部３と液体収容部４の間の区画部２の全部又は一部を破損（破損）させて裂け目５（図３（ｂ））を入れて、粉末収容部３と液体収容部４を連通させる。
（２）前記裂け目（連通部）５から、粉末収容部３と液体収容部４に収容されている石膏粉末Ｐと水Ｗを樹脂製袋１内で合流させる（図３（ｂ））。部分的に裂け目５を入れると、裂け目５が広がり、最終的には区画部２の全体が開口して連通する。
（３）樹脂製袋１を手で持って、樹脂製袋１をその外側から手で揉んで、樹脂製袋１内で石膏粉末Ｐと水Ｗとを混練してペースト状にする（図３（ｃ））。ペーストの硬さは粉末の種類、混水比等によって異なる。樹脂製袋１は片手或いは両手で持って揉むこともできる。
（４）樹脂製袋１の切取部６を切除し、樹脂製袋１をその外から手で押して、開口された切取部６からペースト状の混練済み石膏を押し出して型に流し込む。流し込んだ混練済み石膏を硬化させ、歯科用模型を完成させる。粉末収容部３内の粉末がアルジネート粉末の場合は樹脂製袋１から絞り出してトレーに盛る。なお、粉末収容部３や液体収容部４に球体７が入っている場合、球体７を指で摘まんで樹脂製袋１から出ないようにした状態で混練済み石膏を押し出すのが好ましい。
（５）混練済み石膏や混練済みアルジネートが残った場合は、樹脂製袋１ごと不燃物として廃棄処理する（捨てる）。
【００３８】
本発明の袋入り歯科用材料１０の樹脂製袋１内が真空状態（略真空状態を含む）の場合は、樹脂製袋１内で前記混煉を行うことによって、ペースト状の混練材に気泡が混入せず、成形される模型や印象材の品質向上（亀裂や欠けが生じにくい）が期待できる。また、これまで必要であった脱泡作業が不要となり、作業性の向上も期待できる。
【００３９】
前記使用例は一例であり、これ以外の方法で使用することもできる。また、図２に示す袋入り歯科用材料１０を用いて石膏粉末Ｐと水Ｗとを混煉する場合も同様の方法で使用することができる。
【００４０】
（歯科用粉末混練方法の実施形態）
本発明の歯科用粉末混練方法について説明する。本発明の歯科用粉末混練方法は、歯科用粉末（例えば、石膏粉末Ｐやアルジネート粉末）と液体（例えば水Ｗ）をペースト状に混練する方法であり、前記袋入り歯科用材料１０を使用し、その袋入り歯科用材料１０を手に持ってその樹脂製袋１に外力を加えて区画部２の全部又は一部を開口破損させて、粉末収容部３内の歯科用粉末と液体収容部４内の液体を合流させる。その後に樹脂製袋１を手で揉んで当該樹脂製袋１内で合流した歯科用粉末と液体を混練してペースト状にする。その後に、前記樹脂製袋１の切取部６を開口し、当該樹脂製袋１を手で押して混練済み歯科用材料を当該開口部から押し出し可能とする。
【００４１】
（歯科用印象採得方法の実施形態）
本発明の歯科用印象採得方法について説明する。本発明の歯科用印象採得方法は、歯科用粉末であるアルジネート粉末と液体（例えば水Ｗ）をペースト状に混練した混練済みアルジネートを歯科用トレー内に盛り付けて印象を採得する方法であり、前記歯科用粉末混練方法で得られたペースト状の混練済みアルジネートを、混練済みアルジネートを混練した樹脂製袋１を手で押すことにより樹脂製袋１の前記開口部から押し出して、歯科用トレー内に盛り付けて印象を採得する方法である。
【００４２】
（歯科用模型製作方法の実施形態）
本発明の歯科用模型製作方法について説明する。本発明の歯科用模型製作方法は、歯科用粉末である石膏粉末Ｐと液体（例えば水Ｗ）をペースト状に混練した混練済み石膏を歯科用型内に充填して歯科用模型を製作する方法であり、前記歯科用粉末混練方法で得られたペースト状の混練済み石膏を、当該混練済み石膏の混練に使用した袋を手で押して、当該袋の開口部から押し出して、歯科用型内に充填して歯科用模型を製作する方法である。
【産業上の利用可能性】
【００４３】
前記実施形態では、普通石膏、硬石膏、超硬石膏といった石膏（いずれも粉末）と水とを一つの樹脂製袋１内に収容する場合を一例として説明しているが、本発明の袋入り歯科用材料１０は、前記石膏の他、印象採得の材料（印象材）として使用するアルジネート粉末と水、他の粉末と水以外の液体とを収容することもできる。
【符号の説明】
【００４４】
１    樹脂製袋
１ａ  外層（基材）
１ｂ  内層
２    区画部（熱溶着部）
３    粉末収容部
４    液体収容部
５    裂け目（連通部）
６    切取部
７    球体
１０  袋入り歯科用材料
Ｐ    石膏粉末（歯科用粉末）
Ｗ    水（液体）
【図１】
2015107239.tif 000003
【図２】
2015107239.tif 000004
【図３】
2015107239.tif 000005
【手続補正書】
【提出日】平成26年3月24日(2014.3.24)
【手続補正１】
【補正対象書類名】明細書
【補正対象項目名】全文
【補正方法】変更
【補正の内容】
【発明の詳細な説明】
【技術分野】
【０００１】
本発明は、歯科医療において模型材料として使用される石膏粉末と液体（通常、水）との攪拌・混合（通常「混和」という。）や、印象採得用の印象材として使用されるアルジネート粉末と液体（通常、水）との攪拌・混合（通常「練和」という。）を手軽に行うことのできる袋入り歯科用材料と、その袋入り歯科用材料を使用した歯科用トレーへの印象採得材盛り付け方法、歯科用模型製作方法に関する。以下では、前記「混和」と「練和」をまとめて「混練」という。
【背景技術】
【０００２】
歯科医療においては、模型材料として石膏が、印象採得用の印象材としてアルジネートが使用されている。石膏やアルジネートは、粉末状態（石膏粉末、アルジネート粉末）で水と混練し、ペースト状（硬さは種々ある）にして使用される。
【０００３】
石膏粉末やアルジネート粉末等の歯科用粉末と水とを混練するには、歯科用粉末と水とを所定の混水比（通常、１回の使用量の歯科用粉末に対して、その歯科用粉末ごとに定められている規定の水量）で容器（通常、ラバーボール）に入れ、撹拌棒等を用いてラバーボール内で数分（通常、１〜２分程度）混練している。この混練は大気中で行うため混練時に混練材中に空気（気泡）が混入することがある。空気は歯科用模型の亀裂、欠損等の一因となるため、ラバーボールをバイブレーターで振動させたりして脱泡作業を行ってから、ペースト状の混練材を模型材料或いは印象材として使用する。使用後に残った（余った）余剰混練材はシンクに流して石膏トラップで捕集したり、硬化後に容器から取り出して廃棄処分したりする。
【０００４】
前記混煉方法の他、シリコーンオイルをノニオン系界面活性剤で乳化した水性エマルジョンを添加して混練する方法（特許文献１）や、真空攪拌機（非特許文献１）などを用いて混練する方法も知られている。また、歯科用以外の分野では、前記計量や混合を容易にするため、一つの袋内を区画して美顔液と脱脂綿を別々に収容したもの（特許文献２）、一つの袋内を区画して漂白剤の粉末と水性液を別々に収容したもの（特許文献３）がある。
【先行技術文献】
【特許文献】
【０００５】
【特許文献１】特開平５−１５５７３１号公報
【特許文献２】特開２００４−４２９５１号公報
【特許文献３】特開２００５−１４５５４３号公報
【非特許文献１】株式会社日本歯科商社のホームページ上の製品紹介ページ（URL: http://www.dentalsupply.co.jp/seihin/ren/001.html）
【発明の概要】
【発明が解決しようとする課題】
【０００６】
従来の歯科用粉末と水の混練方法には次のような課題があった。
（１）歯科用粉末と水を大気中（室内のボール内）で混練するため、歯科用粉末が混練時に空気中に飛散し易く、作業者がその飛散粉末を吸い込むことがある。石膏は硫酸カルシウム（ＣａＳＯ４）を主成分とする鉱物であり人体に悪影響があるため、飛散粉末を吸い込むことは好ましくない。
（２）歯科用粉末と水の混水比が不正確だと、混練材の膨張や収縮を招くことがある。しかし、混水比の正確度（精度）は作業者の熟練度によって差があるため、得られる混練材の品質が混練する作業者によってバラツクという難点がある。
（３）混練時に気泡の混入を防ぐことが難しいため、混練後にバイブレーター等を使用しての脱泡作業は不可欠であり、手間がかかり面倒である。
（４）余剰混練材はそのまま流すと水道の配管が詰まってしまうため、石膏トラップを用いて処理しているが、石膏トラップの導入や石膏トラップのメンテナンスに手間がかかりコスト高になるという難点がある。
（５）ラバーボールは使用後にその都度洗わなければならず面倒である。
（６）前記非特許文献１記載の真空攪拌機等の装置は、その導入やメンテナンス等に多くのコストがかかる。
【０００７】
本発明の目的は、前記課題を解決できる袋入り歯科用材料と、歯科用トレーへの印象採得材盛り付け方法、歯科用模型製作方法を提供することにある。
【課題を解決するための手段】
【０００８】
［袋入り歯科用材料］
本発明の袋入り歯科用材料は、混練する歯科用粉末と液体が袋内に収容された袋入り歯科用材料において、袋は外層と内層が積層された二層以上であり且つ内層が外層よりも低温で熱溶着可能な積層樹脂フィルム製であり、前記袋は前記内層同士が熱融着された区画部で仕切られて、粉末収容部と液体収容部を備え、一回の使用量の歯科用粉末が前記粉末収容部内に収容密封され、当該歯科用粉末の混練に必要な量の液体が前記液体収容部内に収容密封され、前記歯科用粉末は歯科用印象採得用粉末であり、前記歯科用印象採得用粉末の一回の使用量は、一個又は数個の歯科用トレー内に盛り付けることにより使い切りになる量であり、前記液体の量は前記歯科用印象採得用粉末の混練に必要な混水比の量であり、前記区画部は袋の周縁部のシール強度よりも弱いシール強度であって、袋を押して外力を加えることにより破損して前記粉末収容部と前記液体収容部が連通して、それぞれの収容部内に収容されている歯科用印象採得用粉末と液体が合流するシ―ル強度であり、前記粉末収容部に歯科用印象採得用粉末が収容され、前記液体収容部に液体が収容された袋は、手で外から揉むことのできる柔軟性があり、手で外から揉むことにより、前記連通により合流した歯科用印象採得用粉末と液体を当該袋内で混練してペースト状の印象採得材にすることができる横幅と厚さであり、揉んで混練しても破損しない強度を備え、ペースト状の印象採得材は袋の一部を開口して当該袋から押し出すことにより歯科用トレーに盛り付けることができ、押し出し後の袋は、袋内の余剰ペースト状印象採得材ごと廃棄できるものである。前記袋入り歯科用材料において、歯科用印象採得用粉末を歯科用アルジネート粉末とすることができる。
【０００９】
本発明の袋入り歯科用材料は、混練する歯科用石膏粉末と液体が袋内に収容された袋入り歯科用材料において、袋は外層と内層が積層された二層以上であり且つ内層が外層よりも低温で熱溶着可能な積層樹脂フィルム製であり、前記袋は前記内層同士が熱融着された区画部で仕切られて、粉末収容部と液体収容部を備え、一回の使用量の歯科用粉末が前記粉末収容部内に収容密封され、当該歯科用粉末の混練に必要な量の液体が前記液体収容部内に収容密封され、前記歯科用粉末は歯科用石膏粉末であり、前記歯科用石膏粉末の一回の使用量は、一個又は数個の歯科用型内に充填することにより使い切りになる量であり、前記液体の量は前記歯科用石膏粉末の混練に必要な混水比の量であり、前記区画部は袋の周縁部のシール強度よりも弱いシール強度であって、袋を押して外力を加えることにより破損して前記粉末収容部と液体収容部が連通して、それぞれの収容部内に収容されている歯科用石膏粉末と液体が合流するシ―ル強度であり、前記粉末収容部に歯科用石膏粉末が収容され、前記液体収容部に液体が収容された袋は、手で外から揉むことのできる柔軟性があり、手で外から揉むことにより、前記連通により合流した歯科用石膏粉末と液体を当該袋内で混練してペースト状にすることができる横幅と厚さであり、揉んで混練しても破損しない強度を備え、ペースト状の石膏は、袋から押し出すことにより歯科用型内に充填することができ、前記押し出し後の袋は、袋内の余剰ペースト状石膏ごと廃棄できるものである。
【００１０】
前記袋入り歯科用材料は、積層樹脂フィルムが、内層が外層よりも熱融着温度の低いイージーピールフィルムであり、袋の区画部が、前記イージーピールフィルムの内層を熱融着して形成されたものとすることができる。
【００１１】
前記袋入り歯科用材料は、粉末収容部に歯科用粉末が収容され、液体収容部に液体が収容された袋が、片手で持ってその片手で揉んで袋内の歯科用粉末と液体を混練できる横幅と厚さとすることができる。
【００１２】
前記袋入り歯科用材料は、粉末収容部内に収容密封される歯科用粉末の収容量と液体収容部内に収容密封される液体の収容量が、混水比19〜55％の範囲で選択される量とすることができる。また、粉末収容部の容積を液体収容部の容積よりも小さくすることができる。
【００１３】
前記袋入り歯科用材料は、粉末収容部と液体収容部の双方又はいずれか一方の収容部内に、歯科用粉末と共に又は液体と共に球体が収容され、前記球体は袋を手で揉んで歯科用粉末と液体を混練するとそれら歯科用粉末と液体内を移動して混練し易くすることができるサイズとすることができる。
【００１４】
前記袋入り歯科用材料は、液体収容部内に収容密封される液体が、硬化促進剤又は硬化遅延剤を含む水とすることができる。
【００１５】
［歯科用トレ−への印象採得材盛り付け方法］
本発明の歯科用トレ−への印象採得材盛り付け方法は、歯科用粉末である歯科用印象採得用粉末と液体を混練してペースト状にした印象採得材を歯科用トレー内に盛り付け、このトレーを使用して印象を採得できるようにした歯科用トレーへの印象採得材盛り付け方法において、前記いずれかの袋入り歯科用材料を使用し、前記袋入り歯科用材料の樹脂製袋に外力を加えて区画部の全部又は一部を開口させて、粉末収容部内の歯科用印象採得用粉末と液体収容部内の液体を合流させ、前記樹脂製袋を手で把持して揉んで当該樹脂製袋内で前記合流した歯科用印象採得用粉末と液体を混練してペースト状の印象採得材にし、前記樹脂製袋の一部を開口し、当該樹脂製袋を手で押して、ペースト状の印象採得材を開口部から歯科用トレー内に押し出して盛り付けして、印象を採得できるようにする方法である。
【００１６】
［歯科用模型製作方法］
本発明の歯科用模型製作方法は、歯科用石膏粉末と液体をペースト状に混練した混練済み歯科用石膏を歯科用型内に充填して歯科用模型を製作する方法において、請求項３から請求項９のいずれか１項に記載の袋入り歯科用材料を使用し、その袋入り歯科用材料の樹脂製袋に外力を加えて区画部の全部又は一部を開口させて、粉末収容部内の歯科用石膏粉末と液体収容部内の液体を合流させ、前記樹脂製袋を把持して手で揉んで当該樹脂製袋内で前記合流した歯科用石膏粉末と液体を混練してペースト状の石膏にし、前記樹脂製袋の一部を開口し、当該樹脂製袋を手で押して、前記ペースト状の石膏を開口部から歯科用型内に押し出して充填して歯科用模型を製作する方法である。
【発明の効果】
【００１７】
本発明の袋入り歯科用材料は次のような効果がある。
（１）一つの樹脂製袋内に、歯科用粉末と液体が所定の混水比で区画されて収容されているので、両者を計量する必要がなく、作業者の熟練度に関係なく混水比が正確な模型や印象を作ることができる。
（２）樹脂製袋に外力を加えて区画部を開口し、当該樹脂製袋をその外部から揉むことにより、当該樹脂製袋内の歯科用粉末と液体とを樹脂製袋内で混練してペースト状の混練材にすることができるので、歯科用粉末が空中に飛散することがなく、作業者が歯科用粉末を吸い込むことによる人体への悪影響もない。
（３）樹脂製袋を開口することなく混練できるので、混練中に樹脂製袋内に空気が入り込むことがなく、脱泡作業をする必要もない。混練材で成型した歯科用模型が空気の混入による品質劣化（模型の亀裂、欠け等）がほとんどないものになる。
（４）歯科用粉末と液体の混練にラバーボールを使用する必要がないため、ラバーボールを洗う面倒もない。
（５）樹脂製袋内に、一回で使い切れる分量の歯科用粉末と液体が収容されているので、材料の無駄が少ない。
（６）ペースト状の混練材が余った場合は、その余剰混練材を樹脂製袋ごと廃棄処分することができるので、使用後の処分が容易である。
（７）粉末収容部と液体収容部の双方又はいずれか一方に、歯科用粉末或いは液体と共に球体を収容した場合、混練時にダマが生じにくい。
（８）液体に硬化促進剤或いは硬化遅延剤を入れた場合は、歯科用粉末の硬化速度を用途に合わせて調整できるため、型取り作業や歯科用模型の製作作業等がし易くなる。ちなみに糖分入りの場合は硬化遅延になり、塩分入りの場合は硬化促進になる。
【００１８】
本発明では、前記袋入り歯科用材料を使用するため、混練に容器も計量も不要であり、樹脂製袋を揉むだけで手軽に混練でき、歯科用粉末が飛散せず人体への悪影響がなく、混練時に気泡が混入しにくく、混練材の無駄が少なく、余剰混練材の廃棄が容易になる。
【００１９】
本発明では、ペースト状に混練された混練済みアルジネートを使用するため、手軽に歯科用印象採得することができる。
【００２０】
本発明の歯科用模型製作方法は、前記歯科用粉末混練方法でペースト状に混練された混練済み石膏を使用するため、手軽に歯科用模型を製作することができる。
【図面の簡単な説明】
【００２１】
【図１】本発明の袋入り歯科用材料の一例を示すものであって、（ａ）はその正面図、（ｂ）は（ａ）のＸ−Ｘ矢視図、（ｃ）は（ｂ）のＡ部詳細図。
【図２】本発明の袋入り歯科用材料の他例を示すものであって、粉末収容部に粉末とともに球体を収容した場合の一例を示す正面図。
【図３】本発明における袋入り歯科用材料の使用方法の一例を示す説明図であって、（ａ）は歯科用粉末と液体とが区画部で隔離された状態を示す説明図、（ｂ）は樹脂製袋をその外から手で押して歯科用粉末と液体を合流させる説明図、（ｃ）は樹脂製袋をその外から手で揉んで歯科用粉末と液体とを混練する状態を示す説明図。
【発明を実施するための形態】
【００２２】
（袋入り歯科用材料の実施形態１）
本発明の袋入り歯科用材料１０の実施形態の一例を、図１（ａ）〜（ｃ）を参照して説明する。図１（ａ）〜（ｃ）の袋入り歯科用材料１０は樹脂製袋１内が区画部（熱溶着部）２で仕切られて粉末収容部３と液体収容部４に区画され、粉末収容部３内に歯科用粉末として石膏粉末Ｐが、液体収容部４内に液体として水（精製水）Ｗが収容されたものである。本発明で用いる石膏には普通石膏、硬石膏、超硬石膏などがある。
【００２３】
［樹脂製袋］
前記樹脂製袋１は少なくとも外層（基材）１ａと内層１ｂを備えた二層以上の積層フィルムの周縁部が密封されており、周縁部の内側空間内が対向する内層１ｂ同士を熱溶着した区画部２で仕切られて粉末収容部３と液体収容部４が形成されている。積層フィルムには各種樹脂製のものを使用することができるが、一例としては、外層１ａはナイロン、内装１ｂはポリエチレン（ＰＥ）のイージーピールフィルムが適する。ナイロンは熱溶着温度がポリエチレンよりも高く、強度にも優れている。ポリエチレンは熱溶着温度がナイロンよりも低く、熱溶着後に樹脂製袋１に外力を加えると容易に剥離し易い（易剥離性である）。積層フィルムの材質は前記以外であってもよく、外層１ａにポリプロピレン（ＰＰ）、ポリエチレン、塩化ビニール樹脂等を、内層１ｂにそれらよりも熱溶着温度の低い樹脂を用いることもできる。
【００２４】
樹脂製袋１は細長であり、その長手方向１／３程度の箇所に区画部２を設けて粉末収容部３と液体収容部４を仕切ってある。区画部２は樹脂製袋１の内層１ｂを熱溶着することにより形成してある。区画部２は多少の外力が加わっても破れない（裂け目５が生じない）が、所定以上の強力な外力が加わったときのみ破れる熱溶着力のイージーピール部である。
【００２５】
図１（ａ）に示す例では、区画部２を斜めの帯状に熱溶着してあるが、平行な帯状に熱溶着することも、Ｖ字状、波形、それら以外の形状に熱溶着することもできる。例えば区画部２をＶ字状にして一部を先細りにすることにより、樹脂製袋１にその外部から圧力（外力）を加えたときに外力が先細り部分に集中して区画部２が開口（破損）し易くなる。区画部２の幅が狭いと不用意に加わる外力によって部分的に破損或いは剥離して、液体収容部４内の水Ｗが、石膏粉末Ｐが収容された粉末収容部３内に流れ込むことがある。これを防止するため、区画部２はそのような破損或いは剥離が生じない程度の融着強度と幅広にしておくことが望ましい。場合によっては、区画部２を樹脂製袋１の長手方向の少し離れた二カ所に設けて（二重に設けて）破損し難くしておくこともできる。区画部２の溶着強度は周縁部のシール強度（溶着強度）よりも弱くして、力により区画部２の溶着が破損しても、周縁部のシール（溶着）は破損しないようにしてある。
【００２６】
樹脂製袋１は揉み易い可撓性と厚さのものが好ましい。一例として図１（ａ）〜（ｃ）に示す樹脂製袋１は、外層１ａに厚さ15μｍのナイロンフィルムを、内層１ｂに厚さ30μｍのポリエチレンフィルムを用いた場合の例であるが、厚さはこれら以外であってもよく、例えば、外層１ａが厚さ15μｍのナイロンフィルム、内層１ｂが厚さ50μｍのポリエチレンフィルムであってもよい。
【００２７】
樹脂製袋１の大きさは収容する石膏粉末Ｐ、水Ｗの分量によって適宜設計することができ、例えば、50ｇの石膏粉末Ｐを収容する50ｇ用の場合には縦180ｍｍ〜250ｍｍ×横55ｍｍ〜75ｍｍ程度（より好ましくは縦200ｍｍ×横70ｍｍ程度）のものが、100ｇの石膏粉末Ｐを収容する100ｇ用の場合には縦230〜300ｍｍ×横65〜90ｍｍ程度のものが適する。いずれの場合も、粉末収容部３に前記量の歯科用粉末が収容され、液体収容部４にそれに必要な混水比の液体が収容されたときに、成人女性が片手で持って揉むことのできるサイズ（横幅と厚さになる）とするのが好ましい。
【００２８】
樹脂製袋１の内層１ｂは隅を図２のように円弧状にしておく（Ｒを付けておく）のが好ましい。隅を円弧状にすることによって、内層１ｂの四隅に石膏粉末Ｐが溜まり難くなり、混練されない粉末を残りにくくすることができる。樹脂製袋１の一部（例えば、コーナー部分）には切取部６を形成しておき、その切取部６を切り取ると樹脂製袋１に出口（図示しない）が開口される（形成される）ようにしておくのが好ましい。石膏粉末Ｐと水Ｗとをペースト状に混練した後、当該切取部６を切り取って出口を形成し、当該出口からペースト状の混練済み石膏（混練材）を絞り出す（押し出す）ことができる。
【００２９】
［歯科用粉末・液体］
この実施形態では、粉末収容部３に石膏粉末Ｐを収容する場合を一例にして説明しているが、粉末収容部３には、印象採得用のアルジネート粉末や歯科用の他の粉末を収容することもできる。また、液体収容部４には精製水を収容した場合を一例としてあるが、純水や水道水を収容することもできる。場合によっては、水に微量の硬化促進剤、硬化遅延剤を溶解することができる。石膏の硬化促進剤には硫酸ナトリウム、硫酸カリウムなどのアルカリ金属の硫酸塩、塩化カルシウム、塩化ナトリウム（塩分）等がある。石膏の硬化遅延剤には澱粉、にかわなどの拡散速度を遅くするコロイド性物質、酢酸などの有機酸およびその塩類、ホウ酸などがある。ホウ酸は硬化遅延剤として効果が大きく、２％以下で濃度を変えれば、所望時間だけ硬化を遅延させることが可能である。
【００３０】
水Ｗは基本的には常温でよいが、常温よりも温かい水（お湯）や冷たい水（冷水）を収容しておくこともできる。水の温度が高い場合は温度が低い場合よりも石膏粉末Ｐの硬化時間の促進を図れ、硬化時間の短縮を図ることができる。このため可能であれば、樹脂製袋１には加熱可能な耐熱性のある樹脂フィルムを使用して、加熱できるようにすることもできる。水の温度が低い場合は温度が高い場合よりも石膏粉末Ｐの硬化時間を遅延させることができる。
【００３１】
［混水比］
前記収容部３、４に収容される石膏粉末Ｐと水Ｗの混水比（Ｗ/Ｐ；重量比）は、石膏粉末Ｐの種類に応じて、0.19〜0.55（19〜55％）の範囲で選択することができる。例えば、粉末収容部３に普通石膏（粉末）を収容する場合は、混水比を45％程度とすると混練しやすく、粉末収容部３に硬石膏（粉末）を収容する場合は、混水比を23％程度とすると混練しやすい。混水比は使用する歯科用粉末によって異なるため、使用する歯科用粉末に応じて適宜変更することができるが、混練済み石膏は、混水比0.19よりも低くなると粉っぽく割れ易くなり、0.55よりも高くなると水っぽく固まりにくくなる。このため、いずれの場合も、混水比は0.19〜0.55（19〜55％）の範囲で選択するのが好ましい。
【００３２】
粉末収容部３に収容する石膏粉末Ｐの分量は、一回で使い切れる分量か一回の使用に不足せず余り過ぎもしない（過不足のない）分量（一回の使用量）とするのが好ましい。一回の使用分量を入れておくことによって、石膏粉末Ｐを計量する手間を省くことができるうえ、混練済み石膏粉末Ｐの余剰量が少なくなって石膏粉末Ｐの無駄を防止することができる。ただし、一回の使用分量は治療部位の広さ、深さ等によって異なり、一回で二以上の型取りをしたり、二以上の型に充填したりすることもあるため、一回の使用分量は一つの型取りに必要な量とか、一つの型に充填する量に限ることなく、例えば、一回の使用分量を50ｇとか60ｇといったように定めて基準量とし、その他に基準量よりも多い75ｇ入り、100ｇ入りといったように予め計測して充填しておき、分量の異なる袋入り歯科用材１０を数種類用意しておくことができる。
【００３３】
（袋入り歯科用材料の実施形態２）
本発明の袋入り歯科用材料１０の実施形態の他例について、図２を参照して説明する。この実施形態の袋入り歯科用材料１０の基本構造は、実施形態１の袋入り歯科用材料１０と同じである。異なるのは、粉末収容部３内と液体収容部４内の双方又はいずれか一方に石膏粉末Ｐ又は水Ｗと共に球体７が収容されていることである。球体７は金属製、樹脂製の球が適し、その直径は数ｍｍ程度の大きさが適する。球体７を入れることによって石膏粉末Ｐと水Ｗが混練されやすくなる。球体７は二以上収容することもできる。二以上の球体７は同じ形状であっても異なる形状であっても良く、同じ形状であっても大きさの異なるものであってもよい。
【００３４】
（袋入り歯科用材料の他の実施形態）
前記袋入り歯科用材料１０の粉末収容部３や液体収容部４内は、可能であれば真空状態（略真空状態を含む）にしておくのが望ましい。真空状態（空気が混入していない状態）とすることによって、混練中のペースト状の材料に気泡が発生せず、混練材の品質向上が期待できる。また、これまで必要であった脱泡作業が不要となり、作業性の向上も期待できる。
【００３５】
前記実施形態では、樹脂製袋１、収容部３、４が細長の場合を一例として説明してあるが、それらは他の形状であってもよい。また、患者によって、必要な材料の量が異なるため、予め分量の異なる袋入り歯科用材料１０を数種類用意しておき、状況に応じて選択的に使用できるようにしておくこともできる。
【００３６】
（袋入り歯科用材料の製造方法）
図１（ａ）〜（ｃ）及び図２に示す袋入り歯科用材料１０は、粉末収容部３への歯科用粉末の収容と、液体収容部４への液体の収容は、いずれを先に行ってもよく、可能であれば同時に行ってもよい。いずれの場合も、収容後は粉末収容部３、液体収容部４のそれぞれの開口部を熱融着して密封する。この熱溶着と樹脂製袋１の周囲の熱溶着は、区画部２の熱溶着よりも強固にして、外力で区画部２が破損しても、周囲及び開口部の熱溶着は破損しないようにする。
【００３７】
（袋入り歯科用材料の使用例）
本発明の袋入り歯科用材料１０の使用例について説明する。この使用例は樹脂製袋１内で石膏粉末Ｐと水Ｗとを混練する場合の例である。
（１）用意した袋入り歯科用材料１０の樹脂製袋１（図３（ａ））を外側から押して樹脂製袋１に外力を加えて、粉末収容部３と液体収容部４の間の区画部２の全部又は一部を破損（破損）させて裂け目５（図３（ｂ））を入れて、粉末収容部３と液体収容部４を連通させる。
（２）前記裂け目（連通部）５から、粉末収容部３と液体収容部４に収容されている石膏粉末Ｐと水Ｗを樹脂製袋１内で合流させる（図３（ｂ））。部分的に裂け目５を入れると、裂け目５が広がり、最終的には区画部２の全体が開口して連通する。
（３）樹脂製袋１を手で持って、樹脂製袋１をその外側から手で揉んで、樹脂製袋１内で石膏粉末Ｐと水Ｗとを混練してペースト状にする（図３（ｃ））。ペーストの硬さは粉末の種類、混水比等によって異なる。樹脂製袋１は片手或いは両手で持って揉むこともできる。
（４）樹脂製袋１の切取部６を切除し、樹脂製袋１をその外から手で押して、開口された切取部６からペースト状の混練済み石膏を押し出して型に流し込む。流し込んだ混練済み石膏を硬化させ、歯科用模型を完成させる。粉末収容部３内の粉末がアルジネート粉末の場合は樹脂製袋１から絞り出してトレーに盛る。なお、粉末収容部３や液体収容部４に球体７が入っている場合、球体７を指で摘まんで樹脂製袋１から出ないようにした状態で混練済み石膏を押し出すのが好ましい。
（５）混練済み石膏や混練済みアルジネートが残った場合は、樹脂製袋１ごと不燃物として廃棄処理する（捨てる）。
【００３８】
本発明の袋入り歯科用材料１０の樹脂製袋１内が真空状態（略真空状態を含む）の場合は、樹脂製袋１内で前記混煉を行うことによって、ペースト状の混練材に気泡が混入せず、成形される模型や印象材の品質向上（亀裂や欠けが生じにくい）が期待できる。また、これまで必要であった脱泡作業が不要となり、作業性の向上も期待できる。
【００３９】
前記使用例は一例であり、これ以外の方法で使用することもできる。また、図２に示す袋入り歯科用材料１０を用いて石膏粉末Ｐと水Ｗとを混煉する場合も同様の方法で使用することができる。
【００４０】
（歯科用粉末混練方法の実施形態）
本発明の歯科用粉末混練方法について説明する。本発明の歯科用粉末混練方法は、歯科用粉末（例えば、石膏粉末Ｐやアルジネート粉末）と液体（例えば水Ｗ）をペースト状に混練する方法であり、前記袋入り歯科用材料１０を使用し、その袋入り歯科用材料１０を手に持ってその樹脂製袋１に外力を加えて区画部２の全部又は一部を開口破損させて、粉末収容部３内の歯科用粉末と液体収容部４内の液体を合流させる。その後に樹脂製袋１を手で揉んで当該樹脂製袋１内で合流した歯科用粉末と液体を混練してペースト状にする。その後に、前記樹脂製袋１の切取部６を開口し、当該樹脂製袋１を手で押して混練済み歯科用材料を当該開口部から押し出し可能とする。
【００４１】
（歯科用印象採得方法の実施形態）
本発明の歯科用印象採得方法について説明する。本発明の歯科用印象採得方法は、歯科用粉末であるアルジネート粉末と液体（例えば水Ｗ）をペースト状に混練した混練済みアルジネートを歯科用トレー内に盛り付けて印象を採得する方法であり、前記歯科用粉末混練方法で得られたペースト状の混練済みアルジネートを、混練済みアルジネートを混練した樹脂製袋１を手で押すことにより樹脂製袋１の前記開口部から押し出して、歯科用トレー内に盛り付けて印象を採得する方法である。
【００４２】
（歯科用模型製作方法の実施形態）
本発明の歯科用模型製作方法について説明する。本発明の歯科用模型製作方法は、歯科用粉末である石膏粉末Ｐと液体（例えば水Ｗ）をペースト状に混練した混練済み石膏を歯科用型内に充填して歯科用模型を製作する方法であり、前記歯科用粉末混練方法で得られたペースト状の混練済み石膏を、当該混練済み石膏の混練に使用した袋を手で押して、当該袋の開口部から押し出して、歯科用型内に充填して歯科用模型を製作する方法である。
【産業上の利用可能性】
【００４３】
前記実施形態では、普通石膏、硬石膏、超硬石膏といった石膏（いずれも粉末）と水とを一つの樹脂製袋１内に収容する場合を一例として説明しているが、本発明の袋入り歯科用材料１０は、前記石膏の他、印象採得の材料（印象材）として使用するアルジネート粉末と水、他の粉末と水以外の液体とを収容することもできる。
【符号の説明】
【００４４】
１    樹脂製袋
１ａ  外層（基材）
１ｂ  内層
２    区画部（熱溶着部）
３    粉末収容部
４    液体収容部
５    裂け目（連通部）
６    切取部
７    球体
１０  袋入り歯科用材料
Ｐ    石膏粉末（歯科用粉末）
Ｗ    水（液体）
【手続補正２】
【補正対象書類名】特許請求の範囲
【補正対象項目名】全文
【補正方法】変更
【補正の内容】
【特許請求の範囲】
【請求項１】
混練する歯科用粉末と液体が袋内に収容された袋入り歯科用材料において、
袋は外層と内層が積層された二層以上であり且つ内層が外層よりも低温で熱溶着可能な積層樹脂フィルム製であり、
前記袋は前記内層同士が熱融着された区画部で仕切られて、粉末収容部と液体収容部を備え、
一回の使用量の歯科用粉末が前記粉末収容部内に収容密封され、当該歯科用粉末の混練に必要な量の液体が前記液体収容部内に収容密封され、
前記歯科用粉末は歯科用印象採得用粉末であり、
前記歯科用印象採得用粉末の一回の使用量は、一個又は数個の歯科用トレー内に盛り付けることにより使い切りになる量であり、
前記液体の量は前記歯科用印象採得用粉末の混練に必要な混水比の量であり、
前記区画部は袋の周縁部のシール強度よりも弱いシール強度であって、袋を押して外力を加えることにより破損して前記粉末収容部と前記液体収容部が連通して、それぞれの収容部内に収容されている歯科用印象採得用粉末と液体が合流するシ―ル強度であり、
前記粉末収容部に歯科用印象採得用粉末が収容され、前記液体収容部に液体が収容された袋は、手で外から揉むことのできる柔軟性があり、手で外から揉むことにより、前記連通により合流した歯科用印象採得用粉末と液体を当該袋内で混練してペースト状の印象採得材にすることができる横幅と厚さであり、揉んで混練しても破損しない強度を備え、
ペースト状の印象採得材は袋の一部を開口して当該袋から押し出すことにより歯科用トレーに盛り付けることができ、
押し出し後の袋は、袋内の余剰ペースト状印象採得材ごと廃棄できる、
ことを特徴とする袋入り歯科用材料。
【請求項２】
請求項１記載の袋入り歯科用材料において、
歯科用印象採得用粉末が歯科用アルジネート粉末である、
ことを特徴とする袋入り歯科用材料。
【請求項３】
混練する歯科用石膏粉末と液体が袋内に収容された袋入り歯科用材料において、
袋は外層と内層が積層された二層以上であり且つ内層が外層よりも低温で熱溶着可能な積層樹脂フィルム製であり、
前記袋は前記内層同士が熱融着された区画部で仕切られて、粉末収容部と液体収容部を備え、
一回の使用量の歯科用粉末が前記粉末収容部内に収容密封され、当該歯科用粉末の混練に必要な量の液体が前記液体収容部内に収容密封され、
前記歯科用粉末は歯科用石膏粉末であり、
前記歯科用石膏粉末の一回の使用量は、一個又は数個の歯科用型内に充填することにより使い切りになる量であり、
前記液体の量は前記歯科用石膏粉末の混練に必要な混水比の量であり、
前記区画部は袋の周縁部のシール強度よりも弱いシール強度であって、袋を押して外力を加えることにより破損して前記粉末収容部と液体収容部が連通して、それぞれの収容部内に収容されている歯科用石膏粉末と液体が合流するシ―ル強度であり、
前記粉末収容部に歯科用石膏粉末が収容され、前記液体収容部に液体が収容された袋は、手で外から揉むことのできる柔軟性があり、手で外から揉むことにより、前記連通により合流した歯科用石膏粉末と液体を当該袋内で混練してペースト状にすることができる横幅と厚さであり、揉んで混練しても破損しない強度を備え、
ペースト状の石膏は、袋から押し出すことにより歯科用型内に充填することができ、
前記押し出し後の袋は、袋内の余剰ペースト状石膏ごと廃棄できる、
ことを特徴とする袋入り歯科用材料。
【請求項４】
請求項１から請求項３のいずれか１項に記載の袋入り歯科用材料において、
積層樹脂フィルムが、内層が外層よりも熱融着温度の低いイージーピールフィルムであり、
袋の区画部が、前記イージーピールフィルムの内層を熱融着して形成された、
ことを特徴とする袋入り歯科用材料。
【請求項５】
請求項１から請求項４のいずれか１項に記載の袋入り歯科用材料において、
粉末収容部に歯科用粉末が収容され、液体収容部に液体が収容された袋が、片手で持ってその片手で揉んで袋内の歯科用粉末と液体を混練できる横幅と厚さである、
ことを特徴とする袋入り歯科用材料。
【請求項６】
請求項１から請求項５のいずれか１項に記載の袋入り歯科用材料において、
粉末収容部内に収容密封される歯科用粉末の収容量と液体収容部内に収容密封される液体の収容量が、混水比19〜55％の範囲で選択される量である、
ことを特徴とする袋入り歯科用材料。
【請求項７】
請求項１から請求項６のいずれか１項に記載の袋入り歯科用材料において、
粉末収容部の容積が液体収容部の容積よりも小さい、
ことを特徴とする袋入り歯科用材料。
【請求項８】
請求項１から請求項７のいずれか１項に記載の袋入り歯科用材料において、
粉末収容部と液体収容部の双方又はいずれか一方の収容部内に、歯科用粉末と共に又は液体と共に球体が収容され、
前記球体は袋を手で揉んで歯科用粉末と液体を混練するとそれら歯科用粉末と液体内を移動して混練し易くすることができるサイズである、
ことを特徴とする袋入り歯科用材料。
【請求項９】
請求項１から請求項８のいずれか１項に記載の袋入り歯科用材料において、
液体収容部内に収容密封される液体が、硬化促進剤又は硬化遅延剤を含む水である、
ことを特徴とする袋入り歯科用材料。
【請求項１０】
歯科用粉末である歯科用印象採得用粉末と液体を混練してペースト状にした印象採得材を歯科用トレー内に盛り付け、このトレーを使用して印象を採得できるようにした歯科用トレーへの印象採得材盛り付け方法において、
請求項１又は請求項２又は請求項４から請求項９のいずれか１項に記載の袋入り歯科用材料を使用し、
前記袋入り歯科用材料の樹脂製袋に外力を加えて区画部の全部又は一部を開口させて、粉末収容部内の歯科用印象採得用粉末と液体収容部内の液体を合流させ、
前記樹脂製袋を手で把持して揉んで当該樹脂製袋内で前記合流した歯科用印象採得用粉末と液体を混練してペースト状の印象採得材にし、
前記樹脂製袋の一部を開口し、当該樹脂製袋を手で押して、ペースト状の印象採得材を開口部から歯科用トレー内に押し出して盛り付けして、印象を採得できるようにした、
ことを特徴とする歯科用トレーへの印象採得材盛り付け方法。
【請求項１１】
歯科用石膏粉末と液体をペースト状に混練した混練済み歯科用石膏を歯科用型内に充填して歯科用模型を製作する方法において、
請求項３から請求項９のいずれか１項に記載の袋入り歯科用材料を使用し、その袋入り歯科用材料の樹脂製袋に外力を加えて区画部の全部又は一部を開口させて、粉末収容部内の歯科用石膏粉末と液体収容部内の液体を合流させ、
前記樹脂製袋を把持して手で揉んで当該樹脂製袋内で前記合流した歯科用石膏粉末と液体を混練してペースト状の石膏にし、
前記樹脂製袋の一部を開口し、当該樹脂製袋を手で押して、前記ペースト状の石膏を開口部から歯科用型内に押し出して充填して歯科用模型を製作する、
ことを特徴とする歯科用模型製作方法。
【手続補正書】
【提出日】平成26年7月7日(2014.7.7)
【手続補正１】
【補正対象書類名】明細書
【補正対象項目名】全文
【補正方法】変更
【補正の内容】
【発明の詳細な説明】
【技術分野】
【０００１】
本発明は、歯科医療において模型材料として使用される石膏粉末と液体（通常、水）との攪拌・混合（通常「混和」という。）や、印象採得用の印象材として使用されるアルジネート粉末と液体（通常、水）との攪拌・混合（通常「練和」という。）を手軽に行うことのできる袋入り使い捨て歯科用材料と、その袋入り使い捨て歯科用材料を使用した歯科用トレーへの印象採得材盛り付け方法、歯科用模型製作方法に関する。以下では、前記「混和」と「練和」をまとめて「混練」という。
【背景技術】
【０００２】
歯科医療においては、模型材料として石膏が、印象採得用の印象材としてアルジネートが使用されている。石膏やアルジネートは、粉末状態（石膏粉末、アルジネート粉末）で水と混練し、ペースト状（硬さは種々ある）にして使用される。
【０００３】
石膏粉末やアルジネート粉末等の歯科用粉末と水とを混練するには、歯科用粉末と水とを所定の混水比（通常、１回の使用量の歯科用粉末に対して、その歯科用粉末ごとに定められている規定の水量）で容器（通常、ラバーボール）に入れ、撹拌棒等を用いてラバーボール内で数分（通常、１〜２分程度）混練している。この混練は大気中で行うため混練時に混練材中に空気（気泡）が混入することがある。空気は歯科用模型の亀裂、欠損等の一因となるため、ラバーボールをバイブレーターで振動させたりして脱泡作業を行ってから、ペースト状の混練材を模型材料或いは印象材として使用する。使用後に残った（余った）余剰混練材はシンクに流して石膏トラップで捕集したり、硬化後に容器から取り出して廃棄処分したりする。
【０００４】
前記混練方法の他、シリコーンオイルをノニオン系界面活性剤で乳化した水性エマルジョンを添加して混練する方法（特許文献１）や、真空攪拌機（非特許文献１）などを用いて混練する方法も知られている。また、歯科用以外の分野では、前記計量や混合を容易にするため、一つの袋内を区画して美顔液と脱脂綿を別々に収容したもの（特許文献２）、一つの袋内を区画して漂白剤の粉末と水性液を別々に収容したもの（特許文献３）がある。
【先行技術文献】
【特許文献】
【０００５】
【特許文献１】特開平５−１５５７３１号公報
【特許文献２】特開２００４−４２９５１号公報
【特許文献３】特開２００５−１４５５４３号公報
【非特許文献１】株式会社日本歯科商社のホームページ上の製品紹介ページ（URL: http://www.dentalsupply.co.jp/seihin/ren/001.html）
【発明の概要】
【発明が解決しようとする課題】
【０００６】
従来の歯科用粉末と水の混練方法には次のような課題があった。
（１）歯科用粉末と水を大気中（室内のボール内）で混練するため、歯科用粉末が混練時に空気中に飛散し易く、作業者がその飛散粉末を吸い込むことがある。石膏は硫酸カルシウム（ＣａＳＯ４）を主成分とする鉱物であり人体に悪影響があるため、飛散粉末を吸い込むことは好ましくない。
（２）歯科用粉末と水の混水比が不正確だと、混練材の膨張や収縮を招くことがある。しかし、混水比の正確度（精度）は作業者の熟練度によって差があるため、得られる混練材の品質が混練する作業者によってバラツクという難点がある。
（３）混練時に気泡の混入を防ぐことが難しいため、混練後にバイブレーター等を使用しての脱泡作業は不可欠であり、手間がかかり面倒である。
（４）余剰混練材はそのまま流すと水道の配管が詰まってしまうため、石膏トラップを用いて処理しているが、石膏トラップの導入や石膏トラップのメンテナンスに手間がかかりコスト高になるという難点がある。
（５）ラバーボールは使用後にその都度洗わなければならず面倒である。
（６）前記非特許文献１記載の真空攪拌機等の装置は、その導入やメンテナンス等に多くのコストがかかる。
【０００７】
本発明の目的は、前記課題を解決できる袋入り使い捨て歯科用材料と、歯科用トレーへの印象採得材盛り付け方法、歯科用模型製作方法を提供することにある。
【課題を解決するための手段】
【０００８】
［袋入り使い捨て歯科用材料］
本発明の袋入り使い捨て歯科用材料は、混練する歯科用粉末と液体が一つの袋内に収容された袋入り使い捨て歯科用材料において、袋が外層と内層が積層された二層以上であり且つ内層が外層よりも低温で熱溶着可能な積層樹脂フィルム製であり、前記袋は前記内層同士が熱融着によりシールされた区画部で仕切られて、粉末収容部と液体収容部を備え、粉末収容部と液体収容部の横幅は同じ又はほぼ同じであり、両収容部の連結方向の長さが、粉末収容部と液体収容部の横幅よりも長い細長であり、前記区画部は袋の周縁部のシール強度よりも弱いシール強度であって、袋を押して外力を加えると破損して前記粉末収容部と前記液体収容部が連通して、それぞれの収容部内に収容されている歯科用粉末と液体が合流できるシ―ル強度であり、前記粉末収容部は一回の使用量の歯科用粉末を収容密封できる広さであり、液体収容部は粉末収容部に収容される一回の使用量の歯科用粉末との混練に必要な混水比の量の液体を収容密封できる広さであり、前記歯科用粉末は歯科用アルジネート粉末であり、前記粉末収容部内には一回の使用量の歯科用アルジネート粉末が収容密封され、前記液体収容部内には一回の使用量の液体が収容密封され、前記歯科用アルジネート粉末の一回の使用量は、前記袋内で液体と混練されてペースト状になった印象採得材を一個又は数個の歯科用トレー内に盛り付けることにより使い切りになる量であり、前記液体の一回の使用量は、粉末収容部内に収容された一回の使用量の歯科用アルジネート粉末と混練して、当該粉末をペースト状の印象採得材にするのに必要な混水比の量であり、前記袋は混練作業者が手で揉んで歯科用アルジネート粉末と液体を混練してペースト状の印象採得材にすることができる柔軟性と揉んでも破損しない強度を備え、前記粉末収容部内に一回の使用量の歯科用アルジネート粉末が収容密封され、前記液体収容部内に前記混水比の量の液体が収容された収容済みの袋は、混練作業者が片手で握ってその手で外から揉むことのできる横幅と厚さであり、前記袋内で混練されてペースト状になった印象採得材は、当該袋の一部を開口して当該開口部から押し出して、一個又は数個の歯科用トレー内に直に盛り付けて使い切ることができる量であり、前記歯科用トレー内に盛り付けた後に袋に残る印象採得材は、産業廃棄物として袋ごと廃棄できる少量である袋入り使い捨て歯科用材料である。
【０００９】
本発明の袋入り使い捨て歯科用材料は、混練する歯科用粉末と液体が一つの袋内に収容された袋入り使い捨て歯科用材料において、袋は外層と内層が積層された二層以上であり且つ内層が外層よりも低温で熱溶着可能な積層樹脂フィルム製であり、前記袋は前記内層同士が熱融着によりシールされた区画部で仕切られて、粉末収容部と液体収容部を備え、粉末収容部と液体収容部の横幅は同じ又はほぼ同じであり、両収容部の連結方向の長さが、粉末収容部と液体収容部の横幅よりも長い細長であり、前記区画部は袋の周縁部のシール強度よりも弱いシール強度であって、袋を押して外力を加えると破損して前記粉末収容部と前記液体収容部が連通して、それぞれの収容部内に収容されている歯科用粉末と液体が合流できるシ―ル強度であり、前記粉末収容部は一回の使用量の歯科用粉末を収容密封できる広さであり、液体収容部は粉末収容部に収容される一回の使用量の歯科用粉末との混練に必要な混水比の量の液体を収容密封できる広さであり、前記歯科用粉末は歯科用石膏粉末であり、前記粉末収容部内には一回の使用量の歯科用石膏粉末が収容密封され、前記液体収容部内には一回の使用量の液体が収容密封され、前記歯科用石膏粉末の一回の使用量は、前記袋内で液体と混練されてペースト状になった歯科用石膏を一個又は数個の歯科用模型内に充填することにより使い切りになる量であり、前記液体の一回の使用量は、粉末収容部内に収容された一回の使用量の歯科用石膏粉末と混練して、当該粉末をペースト状の歯科用石膏にするのに必要な混水比の量であり、前記袋は混練作業者が手で揉んで歯科用石膏粉末と液体を混練してペースト状の歯科用石膏にすることができる柔軟性と揉んでも破損しない強度を備え、前記粉末収容部内に一回の使用量の歯科用石膏粉末が収容密封され、前記液体収容部内に前記混水比の量の液体が収容された収容済みの袋は、混練作業者が片手で握ってその手で外から揉むことのできる横幅と厚さであり、前記袋内で混練されてペースト状になった歯科用石膏は、当該袋の一部を開口して当該開口部から押し出して、一個又は数個の歯科用模型内に直に充填して使い切ることができる量であり、前記歯科用模型内に充填した後に袋に残る歯科用石膏は、産業廃棄物として袋ごと廃棄できる少量である袋入り使い捨て歯科用材料である。
【００１０】
本発明の袋入り使い捨て歯科用材料は、前記袋入り使い捨て歯科用材料において、積層樹脂フィルムが、内層が外層よりも低温で熱溶着可能なイージーピールフィルである袋入り使い捨て歯科用材料とすることもできる。
【００１１】
本発明の袋入り使い捨て歯科用材料は、前記袋入り使い捨て歯科用材料において、液体収容部内に収容密封される液体が、硬化促進剤又は硬化遅延剤を含む水とすることもできる。
【００１２】
本発明の袋入り使い捨て歯科用材料は、前記袋入り使い捨て歯科用材料において、粉末収容部のサイズが、50ｇの歯科用粉末を収容する場合に縦180ｍｍ〜250ｍｍ×横55ｍｍ〜75ｍｍ、100ｇの歯科用粉末を収容する場合に縦230〜300ｍｍ×横65〜90ｍｍとすることもできる。
【００１３】
本発明の袋入り使い捨て歯科用材料は、前記袋入り使い捨て歯科用材料において、粉末収容部内に収容密封される歯科用粉末の収容量と液体収容部内に収容密封される液体の収容量が混水比19〜55％の範囲で選択される量とすることができる。
【００１４】
［歯科用トレーへの印象採得材盛り付け方法］
本発明の歯科用トレーへの印象採得材盛り付け方法は、歯科用印象採得用粉末と液体を混練してペースト状にした印象採得材を、歯科用トレー内に盛り付ける歯科用トレーへの印象採得材盛り付け方法において、請求項１又は請求項３から請求項６のいずれか１項に記載の袋入り使い捨て歯科用材料を使用し、前記袋入り使い捨て歯科用材料の樹脂製袋に外力を加えて区画部の全部又は一部を開口させて、粉末収容部内の歯科用アルジネート粉末と液体収容部内の液体を合流させ、前記樹脂製袋を手で把持してその手で握って当該袋の外から揉んで、当該樹脂製袋内で合流した歯科用アルジネート粉末と液体を混練してペースト状の印象採得材にし、前記樹脂製袋の一部を開口し、当該樹脂製袋を手で押して、前記ペースト状の印象採得材を開口部から歯科用トレー内に押し出して直に盛り付けて印象を採得する歯科用トレーへの印象採得材盛り付け方法である。
【００１５】
［歯科用模型製作方法］
本発明の歯科用模型製作方法は、歯科用石膏粉末と液体をペースト状に混練した混練済み歯科用石膏を歯科用型内に充填して歯科用模型を製作する方法において、請求項２から請求項６のいずれか１項に記載の袋入り使い捨て歯科用材料を使用し、その袋入り使い捨て歯科用材料の樹脂製袋に外力を加えて区画部の全部又は一部を開口させて、粉末収容部内の歯科用石膏粉末と液体収容部内の液体を合流させ、前記樹脂製袋を手で把持してその手で握って当該袋の外から揉んで、当該樹脂製袋内で前記合流した歯科用石膏粉末と液体を混練してペースト状の石膏にし、前記樹脂製袋の一部を開口し、当該樹脂製袋を手で押して、前記ペースト状の石膏を開口部から歯科用型内に押し出して直に充填して歯科用模型を製作する方法である。
【発明の効果】
【００１６】
本発明の袋入り使い捨て歯科用材料は次のような効果がある。
（１）一つの樹脂製袋内に、歯科用粉末と液体が所定の混水比で区画されて収容されているので、両者を計量する必要がなく、作業者の熟練度に関係なく混水比が正確な模型や印象を作ることができる。
（２）樹脂製袋に外力を加えて区画部を開口し、当該樹脂製袋をその外部から揉むことにより、当該樹脂製袋内の歯科用粉末と液体とを樹脂製袋内で混練してペースト状の混練材にすることができるので、歯科用粉末が空中に飛散することがなく、作業者が歯科用粉末を吸い込むことによる人体への悪影響もない。
（３）樹脂製袋を開口することなく混練できるので、混練中に樹脂製袋内に空気が入り込むことがなく、脱泡作業をする必要もない。混練材で成型した歯科用模型が空気の混入による品質劣化（模型の亀裂、欠け等）がほとんどないものになる。
（４）歯科用粉末と液体の混練にラバーボールを使用する必要がないため、ラバーボールを洗う面倒もない。
（５）樹脂製袋内に、一回で使い切れる分量の歯科用粉末と液体が収容されているので、材料の無駄が少ない。
（６）ペースト状の混練材が余った場合は、その余剰混練材を樹脂製袋ごと廃棄処分することができるので、使用後の処分が容易である。
（７）粉末収容部と液体収容部の双方又はいずれか一方に、歯科用粉末或いは液体と共に球体を収容した場合、混練時にダマが生じにくい。
（８）液体に硬化促進剤或いは硬化遅延剤を入れた場合は、歯科用粉末の硬化速度を用途に合わせて調整できるため、型取り作業や歯科用模型の製作作業等がし易くなる。ちなみに糖分入りの場合は硬化遅延になり、塩分入りの場合は硬化促進になる。
【００１７】
本発明では、前記袋入り使い捨て歯科用材料を使用するため、混練に容器も計量も不要であり、樹脂製袋を揉むだけで手軽に混練でき、歯科用粉末が飛散せず人体への悪影響がなく、混練時に気泡が混入しにくく、混練材の無駄が少なく、余剰混練材の廃棄が容易になる。
【００１８】
本発明では、ペースト状に混練された混練済みアルジネートを使用するため、手軽に歯科用印象採得することができる。
【００１９】
本発明の歯科用模型製作方法は、前記歯科用粉末混練方法でペースト状に混練された混練済み石膏を使用するため、手軽に歯科用模型を製作することができる。
【図面の簡単な説明】
【００２０】
【図１】本発明の袋入り使い捨て歯科用材料の一例を示すものであって、（ａ）はその正面図、（ｂ）は（ａ）のＸ−Ｘ矢視図、（ｃ）は（ｂ）のＡ部詳細図。
【図２】本発明の袋入り使い捨て歯科用材料の他例を示すものであって、粉末収容部に粉末とともに球体を収容した場合の一例を示す正面図。
【図３】本発明における袋入り使い捨て歯科用材料の使用方法の一例を示す説明図であって、（ａ）は歯科用粉末と液体とが区画部で隔離された状態を示す説明図、（ｂ）は樹脂製袋をその外から手で押して歯科用粉末と液体を合流させる説明図、（ｃ）は樹脂製袋をその外から手で揉んで歯科用粉末と液体とを混練する状態を示す説明図。
【発明を実施するための形態】
【００２１】
（袋入り使い捨て歯科用材料の実施形態１）
本発明の袋入り使い捨て歯科用材料１０の実施形態の一例を、図１（ａ）〜（ｃ）を参照して説明する。図１（ａ）〜（ｃ）の袋入り使い捨て歯科用材料１０は樹脂製袋１内が区画部（熱溶着部）２で仕切られて粉末収容部３と液体収容部４に区画され、粉末収容部３内に歯科用粉末として石膏粉末Ｐが、液体収容部４内に液体として水（精製水）Ｗが収容されたものである。本発明で用いる石膏には普通石膏、硬石膏、超硬石膏などがある。
【００２２】
［樹脂製袋］
前記樹脂製袋１は少なくとも外層（基材）１ａと内層１ｂを備えた二層以上の積層フィルムの周縁部が密封されており、周縁部の内側空間内が対向する内層１ｂ同士を熱溶着した区画部２で仕切られて粉末収容部３と液体収容部４が形成されている。積層フィルムには各種樹脂製のものを使用することができるが、一例としては、外層１ａはナイロン、内装１ｂはポリエチレン（ＰＥ）のイージーピールフィルムが適する。ナイロンは熱溶着温度がポリエチレンよりも高く、強度にも優れている。ポリエチレンは熱溶着温度がナイロンよりも低く、熱溶着後に樹脂製袋１に外力を加えると容易に剥離し易い（易剥離性である）。積層フィルムの材質は前記以外であってもよく、外層１ａにポリプロピレン（ＰＰ）、ポリエチレン、塩化ビニール樹脂等を、内層１ｂにそれらよりも熱溶着温度の低い樹脂を用いることもできる。
【００２３】
樹脂製袋１は細長であり、その長手方向１／３程度の箇所に区画部２を設けて粉末収容部３と液体収容部４を仕切ってある。区画部２は樹脂製袋１の内層１ｂを熱溶着することにより形成してある。区画部２は多少の外力が加わっても破れない（裂け目５が生じない）が、所定以上の強力な外力が加わったときのみ破れる熱溶着力のイージーピール部である。
【００２４】
図１（ａ）に示す例では、区画部２を斜めの帯状に熱溶着してあるが、平行な帯状に熱溶着することも、Ｖ字状、波形、それら以外の形状に熱溶着することもできる。例えば区画部２をＶ字状にして一部を先細りにすることにより、樹脂製袋１にその外部から圧力（外力）を加えたときに外力が先細り部分に集中して区画部２が開口（破損）し易くなる。区画部２の幅が狭いと不用意に加わる外力によって部分的に破損或いは剥離して、液体収容部４内の水Ｗが、石膏粉末Ｐが収容された粉末収容部３内に流れ込むことがある。これを防止するため、区画部２はそのような破損或いは剥離が生じない程度の融着強度と幅広にしておくことが望ましい。場合によっては、区画部２を樹脂製袋１の長手方向の少し離れた二カ所に設けて（二重に設けて）破損し難くしておくこともできる。区画部２の溶着強度は周縁部のシール強度（溶着強度）よりも弱くして、力により区画部２の溶着が破損しても、周縁部のシール（溶着）は破損しないようにしてある。
【００２５】
樹脂製袋１は揉み易い可撓性と厚さのものが好ましい。一例として図１（ａ）〜（ｃ）に示す樹脂製袋１は、外層１ａに厚さ15μｍのナイロンフィルムを、内層１ｂに厚さ30μｍのポリエチレンフィルムを用いた場合の例であるが、厚さはこれら以外であってもよく、例えば、外層１ａが厚さ15μｍのナイロンフィルム、内層１ｂが厚さ50μｍのポリエチレンフィルムであってもよい。
【００２６】
樹脂製袋１の大きさは収容する石膏粉末Ｐ、水Ｗの分量によって適宜設計することができ、例えば、50ｇの石膏粉末Ｐを収容する50ｇ用の場合には縦180ｍｍ〜250ｍｍ×横55ｍｍ〜75ｍｍ程度（より好ましくは縦200ｍｍ×横70ｍｍ程度）のものが、100ｇの石膏粉末Ｐを収容する100ｇ用の場合には縦230〜300ｍｍ×横65〜90ｍｍ程度のものが適する。いずれの場合も、粉末収容部３に前記量の歯科用粉末が収容され、液体収容部４にそれに必要な混水比の液体が収容されたときに、成人女性が片手で持って揉むことのできるサイズ（横幅と厚さになる）とするのが好ましい。
【００２７】
樹脂製袋１の内層１ｂは隅を図２のように円弧状にしておく（Ｒを付けておく）のが好ましい。隅を円弧状にすることによって、内層１ｂの四隅に石膏粉末Ｐが溜まり難くなり、混練されない粉末を残りにくくすることができる。樹脂製袋１の一部（例えば、コーナー部分）には切取部６を形成しておき、その切取部６を切り取ると樹脂製袋１に出口（図示しない）が開口される（形成される）ようにしておくのが好ましい。石膏粉末Ｐと水Ｗとをペースト状に混練した後、当該切取部６を切り取って出口を形成し、当該出口からペースト状の混練済み石膏（混練材）を絞り出す（押し出す）ことができる。
【００２８】
［歯科用粉末・液体］
この実施形態では、粉末収容部３に石膏粉末Ｐを収容する場合を一例にして説明しているが、粉末収容部３には、印象採得用のアルジネート粉末や歯科用の他の粉末を収容することもできる。また、液体収容部４には精製水を収容した場合を一例としてあるが、純水や水道水を収容することもできる。場合によっては、水に微量の硬化促進剤、硬化遅延剤を溶解することができる。石膏の硬化促進剤には硫酸ナトリウム、硫酸カリウムなどのアルカリ金属の硫酸塩、塩化カルシウム、塩化ナトリウム（塩分）等がある。石膏の硬化遅延剤には澱粉、にかわなどの拡散速度を遅くするコロイド性物質、酢酸などの有機酸およびその塩類、ホウ酸などがある。ホウ酸は硬化遅延剤として効果が大きく、２％以下で濃度を変えれば、所望時間だけ硬化を遅延させることが可能である。
【００２９】
水Ｗは基本的には常温でよいが、常温よりも温かい水（お湯）や冷たい水（冷水）を収容しておくこともできる。水の温度が高い場合は温度が低い場合よりも石膏粉末Ｐの硬化時間の促進を図れ、硬化時間の短縮を図ることができる。このため可能であれば、樹脂製袋１には加熱可能な耐熱性のある樹脂フィルムを使用して、加熱できるようにすることもできる。水の温度が低い場合は温度が高い場合よりも石膏粉末Ｐの硬化時間を遅延させることができる。
【００３０】
［混水比］
前記収容部３、４に収容される石膏粉末Ｐと水Ｗの混水比（Ｗ/Ｐ；重量比）は、石膏粉末Ｐの種類に応じて、0.19〜0.55（19〜55％）の範囲で選択することができる。例えば、粉末収容部３に普通石膏（粉末）を収容する場合は、混水比を45％程度とすると混練しやすく、粉末収容部３に硬石膏（粉末）を収容する場合は、混水比を23％程度とすると混練しやすい。混水比は使用する歯科用粉末によって異なるため、使用する歯科用粉末に応じて適宜変更することができるが、混練済み石膏は、混水比0.19よりも低くなると粉っぽく割れ易くなり、0.55よりも高くなると水っぽく固まりにくくなる。このため、いずれの場合も、混水比は0.19〜0.55（19〜55％）の範囲で選択するのが好ましい。
【００３１】
粉末収容部３に収容する石膏粉末Ｐの分量は、一回で使い切れる分量か一回の使用に不足せず余り過ぎもしない（過不足のない）分量（一回の使用量）とするのが好ましい。一回の使用分量を入れておくことによって、石膏粉末Ｐを計量する手間を省くことができるうえ、混練済み石膏粉末Ｐの余剰量が少なくなって石膏粉末Ｐの無駄を防止することができる。ただし、一回の使用分量は治療部位の広さ、深さ等によって異なり、一回で二以上の型取りをしたり、二以上の型に充填したりすることもあるため、一回の使用分量は一つの型取りに必要な量とか、一つの型に充填する量に限ることなく、例えば、一回の使用分量を50ｇとか60ｇといったように定めて基準量とし、その他に基準量よりも多い75ｇ入り、100ｇ入りといったように予め計測して充填しておき、分量の異なる袋入り歯科用材１０を数種類用意しておくことができる。
【００３２】
（袋入り使い捨て歯科用材料の実施形態２）
本発明の袋入り使い捨て歯科用材料１０の実施形態の他例について、図２を参照して説明する。この実施形態の袋入り使い捨て歯科用材料１０の基本構造は、実施形態１の袋入り歯科用材料１０と同じである。異なるのは、粉末収容部３内と液体収容部４内の双方又はいずれか一方に石膏粉末Ｐ又は水Ｗと共に球体７が収容されていることである。球体７は金属製、樹脂製の球が適し、その直径は数ｍｍ程度の大きさが適する。球体７を入れることによって石膏粉末Ｐと水Ｗが混練されやすくなる。球体７は二以上収容することもできる。二以上の球体７は同じ形状であっても異なる形状であっても良く、同じ形状であっても大きさの異なるものであってもよい。
【００３３】
（袋入り使い捨て歯科用材料の他の実施形態）
前記袋入り使い捨て歯科用材料１０の粉末収容部３や液体収容部４内は、可能であれば真空状態（略真空状態を含む）にしておくのが望ましい。真空状態（空気が混入していない状態）とすることによって、混練中のペースト状の材料に気泡が発生せず、混練材の品質向上が期待できる。また、これまで必要であった脱泡作業が不要となり、作業性の向上も期待できる。
【００３４】
前記実施形態では、樹脂製袋１、収容部３、４が細長の場合を一例として説明してあるが、それらは他の形状であってもよい。また、患者によって、必要な材料の量が異なるため、予め分量の異なる袋入り使い捨て歯科用材料１０を数種類用意しておき、状況に応じて選択的に使用できるようにしておくこともできる。
【００３５】
（袋入り使い捨て歯科用材料の製造方法）
図１（ａ）〜（ｃ）及び図２に示す袋入り使い捨て歯科用材料１０は、粉末収容部３への歯科用粉末の収容と、液体収容部４への液体の収容は、いずれを先に行ってもよく、可能であれば同時に行ってもよい。いずれの場合も、収容後は粉末収容部３、液体収容部４のそれぞれの開口部を熱融着して密封する。この熱溶着と樹脂製袋１の周囲の熱溶着は、区画部２の熱溶着よりも強固にして、外力で区画部２が破損しても、周囲及び開口部の熱溶着は破損しないようにする。
【００３６】
（袋入り使い捨て歯科用材料の使用例）
本発明の袋入り使い捨て歯科用材料１０の使用例について説明する。この使用例は樹脂製袋１内で石膏粉末Ｐと水Ｗとを混練する場合の例である。
（１）用意した袋入り使い捨て歯科用材料１０の樹脂製袋１（図３（ａ））を外側から押して樹脂製袋１に外力を加えて、粉末収容部３と液体収容部４の間の区画部２の全部又は一部を破損（破損）させて裂け目５（図３（ｂ））を入れて、粉末収容部３と液体収容部４を連通させる。
（２）前記裂け目（連通部）５から、粉末収容部３と液体収容部４に収容されている石膏粉末Ｐと水Ｗを樹脂製袋１内で合流させる（図３（ｂ））。部分的に裂け目５を入れると、裂け目５が広がり、最終的には区画部２の全体が開口して連通する。
（３）樹脂製袋１を手で持って、樹脂製袋１をその外側から手で揉んで、樹脂製袋１内で石膏粉末Ｐと水Ｗとを混練してペースト状にする（図３（ｃ））。ペーストの硬さは粉末の種類、混水比等によって異なる。樹脂製袋１は片手或いは両手で持って揉むこともできる。
（４）樹脂製袋１の切取部６を切除し、樹脂製袋１をその外から手で押して、開口された切取部６からペースト状の混練済み石膏を押し出して型に流し込む。流し込んだ混練済み石膏を硬化させ、歯科用模型を完成させる。粉末収容部３内の粉末がアルジネート粉末の場合は樹脂製袋１から絞り出してトレーに盛る。なお、粉末収容部３や液体収容部４に球体７が入っている場合、球体７を指で摘まんで樹脂製袋１から出ないようにした状態で混練済み石膏を押し出すのが好ましい。
（５）混練済み石膏や混練済みアルジネートが残った場合は、樹脂製袋１ごと不燃物として廃棄処理する（捨てる）。
【００３７】
本発明の袋入り使い捨て歯科用材料１０の樹脂製袋１内が真空状態（略真空状態を含む）の場合は、樹脂製袋１内で前記混煉を行うことによって、ペースト状の混練材に気泡が混入せず、成形される模型や印象材の品質向上（亀裂や欠けが生じにくい）が期待できる。また、これまで必要であった脱泡作業が不要となり、作業性の向上も期待できる。
【００３８】
前記使用例は一例であり、これ以外の方法で使用することもできる。また、図２に示す袋入り使い捨て歯科用材料１０を用いて石膏粉末Ｐと水Ｗとを混煉する場合も同様の方法で使用することができる。
【００３９】
（歯科用粉末混練方法の実施形態）
本発明の歯科用粉末混練方法について説明する。本発明の歯科用粉末混練方法は、歯科用粉末（例えば、石膏粉末Ｐやアルジネート粉末）と液体（例えば水Ｗ）をペースト状に混練する方法であり、前記袋入り使い捨て歯科用材料１０を使用し、その袋入り使い捨て歯科用材料１０を手に持ってその樹脂製袋１に外力を加えて区画部２の全部又は一部を開口破損させて、粉末収容部３内の歯科用粉末と液体収容部４内の液体を合流させる。その後に樹脂製袋１を手で揉んで当該樹脂製袋１内で合流した歯科用粉末と液体を混練してペースト状にする。その後に、前記樹脂製袋１の切取部６を開口し、当該樹脂製袋１を手で押して混練済み歯科用材料を当該開口部から押し出し可能とする。
【００４０】
（歯科用印象採得方法の実施形態）
本発明の歯科用印象採得方法について説明する。本発明の歯科用印象採得方法は、歯科用粉末であるアルジネート粉末と液体（例えば水Ｗ）をペースト状に混練した混練済みアルジネートを歯科用トレー内に盛り付けて印象を採得する方法であり、前記歯科用粉末混練方法で得られたペースト状の混練済みアルジネートを、混練済みアルジネートを混練した樹脂製袋１を手で押すことにより樹脂製袋１の前記開口部から押し出して、歯科用トレー内に盛り付けて印象を採得する方法である。
【００４１】
（歯科用模型製作方法の実施形態）
本発明の歯科用模型製作方法について説明する。本発明の歯科用模型製作方法は、歯科用粉末である石膏粉末Ｐと液体（例えば水Ｗ）をペースト状に混練した混練済み石膏を歯科用型内に充填して歯科用模型を製作する方法であり、前記歯科用粉末混練方法で得られたペースト状の混練済み石膏を、当該混練済み石膏の混練に使用した袋を手で押して、当該袋の開口部から押し出して、歯科用型内に充填して歯科用模型を製作する方法である。
【産業上の利用可能性】
【００４２】
前記実施形態では、普通石膏、硬石膏、超硬石膏といった石膏（いずれも粉末）と水とを一つの樹脂製袋１内に収容する場合を一例として説明しているが、本発明の袋入り使い捨て歯科用材料１０は、前記石膏の他、印象採得の材料（印象材）として使用するアルジネート粉末と水、他の粉末と水以外の液体とを収容することもできる。
【符号の説明】
【００４３】
１    樹脂製袋
１ａ  外層（基材）
１ｂ  内層
２    区画部（熱溶着部）
３    粉末収容部
４    液体収容部
５    裂け目（連通部）
６    切取部
７    球体
１０  袋入り使い捨て歯科用材料
Ｐ    石膏粉末（歯科用粉末）
Ｗ    水（液体）
【手続補正２】
【補正対象書類名】特許請求の範囲
【補正対象項目名】全文
【補正方法】変更
【補正の内容】
【特許請求の範囲】
【請求項１】
混練する歯科用粉末と液体が一つの袋内に収容された袋入り使い捨て歯科用材料において、
袋が外層と内層が積層された二層以上であり且つ内層が外層よりも低温で熱溶着可能な積層樹脂フィルム製であり、
前記袋は前記内層同士が熱融着によりシールされた区画部で仕切られて、粉末収容部と液体収容部を備え、
粉末収容部と液体収容部の横幅は同じ又はほぼ同じであり、両収容部の連結方向の長さが、粉末収容部と液体収容部の横幅よりも長い細長であり、
前記区画部は袋の周縁部のシール強度よりも弱いシール強度であって、袋を押して外力を加えると破損して前記粉末収容部と前記液体収容部が連通して、それぞれの収容部内に収容されている歯科用粉末と液体が合流できるシ―ル強度であり、
前記粉末収容部は一回の使用量の歯科用粉末を収容密封できる広さであり、液体収容部は粉末収容部に収容される一回の使用量の歯科用粉末との混練に必要な混水比の量の液体を収容密封できる広さであり、
前記歯科用粉末は歯科用アルジネート粉末であり、
前記粉末収容部内には一回の使用量の歯科用アルジネート粉末が収容密封され、前記液体収容部内には一回の使用量の液体が収容密封され、
前記歯科用アルジネート粉末の一回の使用量は、前記袋内で液体と混練されてペースト状になった印象採得材を一個又は数個の歯科用トレー内に盛り付けることにより使い切りになる量であり、
前記液体の一回の使用量は、粉末収容部内に収容された一回の使用量の歯科用アルジネート粉末と混練して、当該粉末をペースト状の印象採得材にするのに必要な混水比の量であり、
前記袋は混練作業者が手で揉んで歯科用アルジネート粉末と液体を混練してペースト状の印象採得材にすることができる柔軟性と揉んでも破損しない強度を備え、
前記粉末収容部内に一回の使用量の歯科用アルジネート粉末が収容密封され、前記液体収容部内に前記混水比の量の液体が収容された収容済みの袋は、混練作業者が片手で握ってその手で外から揉むことのできる横幅と厚さであり、
前記袋内で混練されてペースト状になった印象採得材は、当該袋の一部を開口して当該開口部から押し出して、一個又は数個の歯科用トレー内に直に盛り付けて使い切ることができる量であり、
前記歯科用トレー内に盛り付けた後に袋に残る印象採得材は、産業廃棄物として袋ごと廃棄できる少量である、
ことを特徴とする袋入り使い捨て歯科用材料。
【請求項２】
混練する歯科用粉末と液体が一つの袋内に収容された袋入り使い捨て歯科用材料において、
袋は外層と内層が積層された二層以上であり且つ内層が外層よりも低温で熱溶着可能な積層樹脂フィルム製であり、
前記袋は前記内層同士が熱融着によりシールされた区画部で仕切られて、粉末収容部と液体収容部を備え、
粉末収容部と液体収容部の横幅は同じ又はほぼ同じであり、両収容部の連結方向の長さが、粉末収容部と液体収容部の横幅よりも長い細長であり、
前記区画部は袋の周縁部のシール強度よりも弱いシール強度であって、袋を押して外力を加えると破損して前記粉末収容部と前記液体収容部が連通して、それぞれの収容部内に収容されている歯科用粉末と液体が合流できるシ―ル強度であり、
前記粉末収容部は一回の使用量の歯科用粉末を収容密封できる広さであり、液体収容部は粉末収容部に収容される一回の使用量の歯科用粉末との混練に必要な混水比の量の液体を収容密封できる広さであり、
前記歯科用粉末は歯科用石膏粉末であり、
前記粉末収容部内には一回の使用量の歯科用石膏粉末が収容密封され、前記液体収容部内には一回の使用量の液体が収容密封され、
前記歯科用石膏粉末の一回の使用量は、前記袋内で液体と混練されてペースト状になった歯科用石膏を一個又は数個の歯科用模型内に充填することにより使い切りになる量であり、
前記液体の一回の使用量は、粉末収容部内に収容された一回の使用量の歯科用石膏粉末と混練して、当該粉末をペースト状の歯科用石膏にするのに必要な混水比の量であり、
前記袋は混練作業者が手で揉んで歯科用石膏粉末と液体を混練してペースト状の歯科用石膏にすることができる柔軟性と揉んでも破損しない強度を備え、
前記粉末収容部内に一回の使用量の歯科用石膏粉末が収容密封され、前記液体収容部内に前記混水比の量の液体が収容された収容済みの袋は、混練作業者が片手で握ってその手で外から揉むことのできる横幅と厚さであり、
前記袋内で混練されてペースト状になった歯科用石膏は、当該袋の一部を開口して当該開口部から押し出して、一個又は数個の歯科用模型内に直に充填して使い切ることができる量であり、
前記歯科用模型内に充填した後に袋に残る歯科用石膏は、産業廃棄物として袋ごと廃棄できる少量である、
ことを特徴とする袋入り使い捨て歯科用材料。
【請求項３】
請求項１又は請求項２記載の袋入り使い捨て歯科用材料において、
積層樹脂フィルムが、内層が外層よりも低温で熱溶着可能なイージーピールフィルである、
ことを特徴とする袋入り使い捨て歯科用材料。
【請求項４】
請求項１から請求項３のいずれか１項に記載の袋入り使い捨て歯科用材料において、
液体収容部内に収容密封される液体が、硬化促進剤又は硬化遅延剤を含む水である、
ことを特徴とする袋入り使い捨て歯科用材料。
【請求項５】
請求項１から請求項４のいずれか１項に記載の袋入り使い捨て歯科用材料において、
粉末収容部のサイズは、50ｇの歯科用粉末を収容する場合に縦180ｍｍ〜250ｍｍ×横55ｍｍ〜75ｍｍであり、100ｇの歯科用粉末を収容する場合に縦230〜300ｍｍ×横65〜90ｍｍである、
ことを特徴とする袋入り使い捨て歯科用材料。
【請求項６】
請求項１から請求項５のいずれか１項に記載の袋入り使い捨て歯科用材料において、
粉末収容部内に収容密封される歯科用粉末の収容量と液体収容部内に収容密封される液体の収容量が混水比19〜55％の範囲で選択される量である、
ことを特徴とする袋入り使い捨て歯科用材料。
【請求項７】
歯科用印象採得用粉末と液体を混練してペースト状にした印象採得材を、歯科用トレー内に盛り付ける歯科用トレーへの印象採得材盛り付け方法において、
請求項１又は請求項３から請求項６のいずれか１項に記載の袋入り使い捨て歯科用材料を使用し、
前記袋入り使い捨て歯科用材料の樹脂製袋に外力を加えて区画部の全部又は一部を開口させて、粉末収容部内の歯科用アルジネート粉末と液体収容部内の液体を合流させ、
前記樹脂製袋を手で把持してその手で握って当該袋の外から揉んで、当該樹脂製袋内で合流した歯科用アルジネート粉末と液体を混練してペースト状の印象採得材にし、
前記樹脂製袋の一部を開口し、当該樹脂製袋を手で押して、前記ペースト状の印象採得材を開口部から歯科用トレー内に押し出して直に盛り付けて印象を採得する、
ことを特徴とする歯科用トレーへの印象採得材盛り付け方法。
【請求項８】
歯科用石膏粉末と液体をペースト状に混練した混練済み歯科用石膏を歯科用型内に充填して歯科用模型を製作する方法において、
請求項２から請求項６のいずれか１項に記載の袋入り使い捨て歯科用材料を使用し、その袋入り使い捨て歯科用材料の樹脂製袋に外力を加えて区画部の全部又は一部を開口させて、粉末収容部内の歯科用石膏粉末と液体収容部内の液体を合流させ、
前記樹脂製袋を手で把持してその手で握って当該袋の外から揉んで、当該樹脂製袋内で前記合流した歯科用石膏粉末と液体を混練してペースト状の石膏にし、
前記樹脂製袋の一部を開口し、当該樹脂製袋を手で押して、前記ペースト状の石膏を開口部から歯科用型内に押し出して直に充填して歯科用模型を製作する、
ことを特徴とする歯科用模型製作方法。